(57)【要約】【課題】  液体が充填された紙パックが傾いたり倒れたりすることを防止すると共に、筐体内部の収納領域を有効に利用することができるクーラーボックスを提供すること。【解決手段】  上側第１扉７ａは側壁２ｄから揺動して側壁２ｃと略平行となる位置に固定され、第２扉８は上側第１扉７ａから揺動して側壁２ｄと略平行となる位置に固定され、上側第１扉７ａ、第２扉８、側壁２ｃ及び側壁２ｄの４面で紙パック１４を収納可能な領域が形成される。その収納領域内に収納される紙パック１４の上端部には、紙パック１４内部を密封するキャップ部材１１が狭着されている。よって、クーラーボックスが持ち運ばれてて揺れた場合であっても、紙パック１４が傾いたり倒れたりすることを防止できると共に紙パック１４内部から液体が流出することを防止できる。また、各扉は側壁２ｄに収納できるよう構成されているので、筐体内部を有効に利用できる。  【選択図】    図１０
2005330005.tif 000002
【特許請求の範囲】
【請求項１】
上部が開口され内部に収納部を有する略箱状の筐体と、その筐体の開口を開閉する蓋とを備え、前記筐体と蓋とが断熱構造で構成されたクーラーボックスにおいて、
前記筐体を形成する側壁のうち略直角に交差する２つの側壁の一方となる第１の側壁に収納されると共に、その第１の側壁に対して揺動可能に一端側が連結される板状の第１扉と、
前記第１の側壁に収納されると共に、一端側が前記第１扉の他端側に揺動可能に連結される板状の第２扉とを備え、
前記第１扉が前記２つの側壁のうち他方となる第２の側壁と略平行になるよう揺動すると共に前記第２扉が前記第１の側壁と略平行になるよう揺動した場合に、第１及び第２扉と第１及び第２の側壁との４つ面で、略箱形状に形成された容器を収納可能な領域を形成することを特徴とするクーラーボックス。
【請求項２】
前記第１扉と第２扉との各扉は、前記第１の側壁に複数並んで収納されており、
その複数並んで収納された各扉が揺動した場合、前記第１の側壁と第１扉と第２扉と前記第２の側壁側に隣接する第１扉とによって、前記容器を収納可能な領域を形成するものであることを特徴とする請求項１記載のクーラーボックス。
【請求項３】
前記第１扉が前記第２の側壁と略平行となる位置にその第１扉を固定する第１固定部材と、
前記第２扉が前記第１の側壁と略平行となる位置にその第２扉を固定する第２固定部材とを備えていることを特徴とする請求項１又は２に記載のクーラーボックス。
【請求項４】
前記第１の側壁内に配設され、その第１の側壁から前記筐体の底壁と略平行になるよう揺動すると共に、その揺動した状態で前記容器を収納可能な領域の前記筐体の開口側と底壁側との間を仕切る仕切部材を備えていることを特徴とする請求項１から３のいずれかに記載のクーラーボックス。
【請求項５】
前記仕切部材は、両側端部が前記第１の側壁に形成される溝に支持された棒部材によって揺動可能に構成され、
その溝は、前記棒部材の外径と略同等となる内径で形成されその棒部材を支持する支持部と、前記棒部材の外径より小さな内径で形成されその棒部材が移動可能な移動部とが、前記筐体の底壁に対して略垂直方向に連続して形成されていることを特徴とする請求項４記載のクーラーボックス。
【請求項６】
前記第１扉は、前記筐体の底壁に対して略垂直方向に上下に分割され、
前記第２扉は、その上下に分割された第１扉の上側と連結されると共に前記底壁の略垂直方向に伸縮可能に構成されていることを特徴とする請求項４又は５に記載のクーラーボックス。
【請求項７】
前記第１扉と第２扉とは、前記筐体の底壁に対して略垂直方向に上下にそれぞれ分割され、
その上下に分割された上側の第１扉と第２扉および下側の第１扉と第２扉とは、それぞれ互いに連結されていることを特徴とする請求項４又は５に記載のクーラーボックス。
【請求項８】
前記第１の側壁は、前記第１扉と第２扉とを収納する扉収納部と、その扉収納部の下端部に連設され前記筐体の内側方向へ突起する側壁突起部材とを有し、
前記第２扉は、その第２扉の下端部に連設され、前記第１扉と第２扉とが揺動して前記容器を収納可能な領域が形成された場合に、その領域の内側方向に突起する扉突起部材を有していることを特徴とする請求項１から３のいずれかに記載のクーラーボックス。
【請求項９】
前記第１扉の下端部に形成され、その第１扉と第２扉とが前記第１の側壁の扉収納部に収納された状態で、前記第２扉の扉突起部材を収納可能な第１切欠部と、
前記第２扉の下端部に形成され、前記第１扉と第２扉とが前記扉収納部に収納された状態で、前記第１の側壁の側壁突起部材を収納可能な第２切欠部とを備えていることを特徴とする請求項８記載のクーラーボックス。
【請求項１０】
前記第１切欠部は、前記第１扉の厚み方向における長さが、その第１扉の厚みに対して少なくとも半分以上で且つ略同等以下となる長さで形成されると共に、前記扉突起部材は、前記筐体の底壁に対して略水平方向となる長さが、前記第１切欠部の前記第１扉の厚み方向における長さと略同等に形成され、
前記第２切欠部は、前記第２扉の厚み方向における長さが、その第２扉の厚みに対して少なくとも半分以上で且つ略同等以下となる長さで形成されると共に、前記側壁突起部材は、前記筐体の底壁に対して略水平方向となる長さが、前記第２切欠部の前記第２扉の厚み方向における長さと略同等に形成されていることを特徴とする請求項９記載のクーラーボックス。
【請求項１１】
前記第１扉は、前記筐体の底壁に対して略垂直方向に上下に分割されると共に、前記第２扉は、その上下に分割された第１扉の上側と連結され前記底壁の略垂直方向に伸縮可能に構成され、
前記側壁突起部材は、前記第２扉の伸縮可能な範囲に対応する範囲内で、前記底壁の略垂直方向に移動可能に構成されていることを特徴とする請求項８から１０のいずれかに記載のクーラボックス。
【請求項１２】
前記側壁突起部材は、その側壁突起部材の両側端部からそれぞれ突起する支持部材が前記扉収納部に形成される支持溝に嵌挿されることで支持されており、
前記支持溝は、前記筐体の底壁に対して略垂直方向に複数形成されると共に、その複数の支持溝が連通溝によってそれぞれ連通され、
前記第２扉は、前記底壁の略垂直方向において、前記複数の支持溝に対応する位置に伸縮して固定可能に構成されていることを特徴とする請求項１１記載のクーラーボックス。
【請求項１３】
前記上下に分割された上側の第１扉には、前記第２扉の伸縮範囲内および前記扉突起部材の移動範囲内において、前記第１切欠部と同形状の第３切欠部が形成されていることを特徴とする請求項１１又は１２に記載のクーラーボックス。
【請求項１４】
前記扉突起部材は、先端が前記第２扉より前記容器を収納可能な領域の内側方向に上方傾斜して突起すると共に、その傾斜した位置と前記底壁に対して略水平となる位置との間を揺動するように後端が前記第２扉の下端部に連結される扉板部材と、その扉板部材を前記第２扉側方向に付勢する扉弾性部材とを有して形成され、
前記側壁突起部材は、先端が前記第１の側壁より前記容器を収納可能な領域の内側方向に上方傾斜して突起すると共に、その傾斜する位置と前記底壁に対して略水平となる位置との間を揺動するように後端が前記扉収納部の下端部に連結される側壁板部材と、その側壁板部材を前記第１の側壁側方向に付勢する側壁弾性部材とを有して形成されていることを特徴とする請求項８記載のクーラーボックス。
【請求項１５】
前記第１扉と第２扉とが揺動した場合に、前記第２扉と、前記第２の側壁側に隣接する第１扉または第２の側壁とを互いに固着する固着部を備えていることを特徴とする請求項２から１４のいずれかに記載のクーラーボックス。
【請求項１６】
前記固着部は、前記第２扉の他端部に形成され、前記第１扉と第２扉とが揺動した状態で、前記第２の側壁側に凸状に突起する嵌合部と、前記第１扉の他端部または第２の側壁に形成され、前記第１扉と第２扉とが揺動した状態で、前記嵌合部と嵌合する凹状の溝で形成される嵌合溝とを備えて構成されていることを請求項１５記載のクーラーボックス。
【請求項１７】
前記第２扉には、その第２扉の表裏を連通する連通部が形成されていることを特徴とする請求項１から１６のいずれかに記載のクーラーボックス。
【請求項１８】
前記第１の側壁および第２扉の上端部には、前記容器の上部に狭着され内部を密閉すると共にその第１の側壁と第２扉との間隔より長く形成されたキャップ部材の両端部が挿入される凹状の挿入部がそれぞれ形成されていることを特徴とする請求項１から１７のいずれかに記載のクーラーボックス。
【請求項１９】
前記第１の側壁および第２扉の挿入部には、前記キャップ部材の両端部側面に形成された凹部と嵌合する凸部がそれぞれ形成されていることを特徴とする請求項１８記載のクーラーボックス。
【請求項２０】
前記筐体の側壁には、前記キャップ部材を収納可能なキャップ収納部が形成されていることを特徴とする請求項１８又は１９に記載のクーラーボックス。
【発明の詳細な説明】
【技術分野】
【０００１】
本発明は、クーラーボックスに関し、特に、液体が充填された紙パックが傾いたり倒れたりすることを防止すると共に、筐体内部の収納領域を有効に利用することができるクーラーボックスに関するものである。
【背景技術】
【０００２】
特開平９−１３８０４７号公報に開示されているように、冷蔵庫および保温庫の機能を有し持ち運び可能なクーラーボックスが知られている。このクーラーボックスは、上部が開口した箱形の筐体と、その筐体の開口を塞ぐと共に筐体に蝶番を介して取り付けられる蓋とから構成されている。このクーラーボックスは、筐体内部に各種の品物や容器（例えば、食品や紙パック、ペットボトル、缶詰などの食料品）を収納することができると共に、その収納された食料品などの温度を保つことができる。
【特許文献１】特開平９−１３８０４７号公報（図１等）
【発明の開示】
【発明が解決しようとする課題】
【０００３】
しかしながら、上述したクーラーボックスでは、食料品などを収納した状態で持ち運ぶので、その収納された食料品が崩れたり傾いたり倒れてしまう。特に、容器の内部に液体が充填された紙パックの場合には、紙パックは液体を注ぎ出すために一旦開封されると再度密封することができないので、その開封された紙パックが傾いたり倒れてしまうと紙パック内の液体が流出して、クーラーボックス内に収納されたその他の食料品が濡れてしまうという問題点があった。
【０００４】
また、一般的なクーラーボックスには、仕切板によって筐体内部の領域を複数に仕切られたものもある。かかるクーラーボックスにおいて、食料品の形状に応じて領域が仕切られている場合には、その収納された食料品の崩れ、傾き及び倒れを防止することができるが、その仕切板によって筐体内部の収納量が減少するので、収納領域を有効に利用することができないという問題点があった。さらに、紙パックは、その大きさに応じて深さ（高さ）が異なるので、仕切板によって紙パックの形状に応じて仕切られた領域に深さの浅い紙パックを収納した場合には、上部に無駄な領域が生じると共にその紙パックの取り出しが困難になるという問題点もあった。
【０００５】
本発明は、上述した問題点を解決するためになされたものであり、液体が充填された紙パックが傾いたり倒れたりすることを防止すると共に、筐体内部の収納領域を有効に利用することができるクーラーボックスを提供することを目的としている。
【課題を解決するための手段】
【０００６】
この目的を達成するために請求項１記載のクーラーボックスは、上部が開口され内部に収納部を有する略箱状の筐体と、その筐体の開口を開閉する蓋とを備えており、前記筐体と蓋とが断熱構造で構成されるものであり、前記筐体を形成する側壁のうち略直角に交差する２つの側壁の一方となる第１の側壁に収納されると共に、その第１の側壁に対して揺動可能に一端側が連結される板状の第１扉と、前記第１の側壁に収納されると共に、一端側が前記第１扉の他端側に揺動可能に連結される板状の第２扉とを備え、前記第１扉が前記２つの側壁のうち他方となる第２の側壁と略平行になるよう揺動すると共に前記第２扉が前記第１の側壁と略平行になるよう揺動した場合に、第１及び第２扉と第１及び第２の側壁との４つ面で、略箱形状に形成された容器を収納可能な領域を形成する。
【０００７】
この請求項１記載のクーラーボックスによれば、板状に形成された第１扉と第２扉とは、筐体を形成する側壁のうち略直角に交差する２つの側壁の一方となる第１の側壁に収納される。その第１扉の一端側は第１の側壁に対して揺動可能に連結されており、第２扉の一端側は第１扉の他端側に揺動可能に連結されている。第１扉が略直角に交差する２つの側壁の他方となる第２の側壁と略平行となる位置まで揺動されると共に、第２扉が第１の側壁と略平行となる位置まで揺動されると、その第１扉、第２扉、第１の側壁および第２の側壁との４つの面によって収納領域が形成され、その領域内に略箱形状の容器が収納される。
【０００８】
請求項２記載のクーラーボックスは、請求項１記載のクーラーボックスにおいて、前記第１扉と第２扉との各扉は、前記第１の側壁に複数並んで収納されており、その複数並んで収納された各扉が揺動した場合、前記第１の側壁と第１扉と第２扉と前記第２の側壁側に隣接する第１扉とによって、前記容器を収納可能な領域を形成するものである。
【０００９】
この請求項２記載のクーラーボックスによれば、請求項１記載のクーラーボックスと同様に作用する上、第１の側壁に複数並んで収納された第１扉と第２扉とが揺動されると、第１の側壁、第１扉、第２扉および第２の側壁側に隣接する第１扉とによって容器を収納可能な領域が形成され、その複数並んで形成される領域内に略箱状の容器がそれぞれ収納される。
【００１０】
請求項３記載のクーラーボックスは、請求項１又は２に記載のクーラーボックスにおいて、前記第１扉が前記第２の側壁と略平行となる位置にその第１扉を固定する第１固定部材と、前記第２扉が前記第１の側壁と略平行となる位置にその第２扉を固定する第２固定部材とを備えている。
【００１１】
この請求項３記載のクーラーボックスによれば、請求項１又は２に記載のクーラーボックスと同様に作用する上、第１扉は、第２の側壁と略平行となる位置に第１固定部材よって固定され、第２扉は、第１の側壁と略平行となる位置に第２固定部材によって固定される。
【００１２】
請求項４記載のクーラーボックスは、請求項１から３のいずれかに記載のクーラーボックスにおいて、前記第１の側壁内に配設され、その第１の側壁から前記筐体の底壁と略平行になるよう揺動すると共に、その揺動した状態で前記容器を収納可能な領域の前記筐体の開口側と底壁側との間を仕切る仕切部材を備えている。
【００１３】
この請求項４記載のクーラーボックスによれば、請求項１から３のいずれかに記載のクーラーボックスと同様に作用する上、第１の側壁内に配設される仕切部材は、第１の側壁から筐体の底壁と略平行となるよう揺動される。その仕切部材は、揺動された状態で容器を収納可能な領域の筐体の開口側と底壁側との間を仕切るので、容器を収納した場合にはその仕切部材によって容器の底面が支持される。
【００１４】
なお、仕切部材は、外枠の内側に網目状の部材を設ける構造としても良いし、外枠の内側に棒体やパイプ等を縦方向および横方向に設けた格子状となる構造としても良いし、外枠の内側に棒体やパイプ等を縦方向のみ又は横方向のみに設けた構造としても良いし、容器の底面より小さな外形となる外枠のみの構造としても良い。即ち、領域内に収納される容器の底壁を支持できると共に、仕切部材の表裏を連通する連通部を備える構造であれば、どのような構造としても良い。
【００１５】
請求項５記載のクーラーボックスは、請求項４記載のクーラーボックスにおいて、前記仕切部材は、両側端部が前記第１の側壁に形成される溝に支持された棒部材によって揺動可能に構成されており、その溝は、前記棒部材の外径と略同等となる内径で形成されその棒部材を支持する支持部と、前記棒部材の外径より小さな内径で形成されその棒部材が移動可能な移動部とが、前記筐体の底壁に対して略垂直方向に連続して形成されている。
【００１６】
この請求項５記載のクーラーボックスによれば、請求項４記載のクーラーボックスと同様に作用する上、第１の側壁に形成され棒部材の両端部を支持する溝は、棒部材の外径と略同等となる内径で形成されその棒部材を支持する支持部と、棒部材の外径より小さな内径で形成されその棒部材が移動可能な移動部とが、筐体の底壁に対して略垂直方向に連続して形成される。よって、棒部材は、筐体の底壁に対して略垂直方向に移動部を移動し支持部で支持されるので、仕切部材は、筐体の底壁の略垂直方向に移動し任意の位置に固定される。
【００１７】
請求項６記載のクーラーボックスは、請求項４又は５に記載のクーラーボックスにおいて、前記第１扉は、前記筐体の底壁に対して略垂直方向に上下に分割されており、前記第２扉は、その上下に分割された第１扉の上側と連結されると共に前記底壁の略垂直方向に伸縮可能に構成されている。
【００１８】
請求項７記載のクーラーボックスは、請求項４又は５に記載のクーラーボックスにおいて、前記第１扉と第２扉とは、前記筐体の底壁に対して略垂直方向に上下にそれぞれ分割されており、その上下に分割された上側の第１扉と第２扉および下側の第１扉と第２扉とは、それぞれ互いに連結されている。
【００１９】
請求項８記載のクーラーボックスは、請求項１から３のいずれかに記載のクーラーボックスにおいて、前記第１の側壁は、前記第１扉と第２扉とを収納する扉収納部と、その扉収納部の下端部に連設され前記筐体の内側方向へ突起する側壁突起部材とを有しており、前記第２扉は、その第２扉の下端部に連設され、前記第１扉と第２扉とが揺動して前記容器を収納可能な領域が形成された場合に、その領域の内側方向に突起する扉突起部材を有している。
【００２０】
この請求項８記載のクーラーボックスによれば、請求項１から３のいずれかに記載のクーラーボックスと同様に作用する上、第１扉および第２扉は、第１の側壁の扉収納部に収納される。扉収納部の下端部には、筐体の内側方向へ突起する側壁突起部材が連設され、第２扉の下端部には、第１扉と第２扉とが揺動して容器を収納可能な領域が形成された場合にその領域の内側方向に突起する扉突起部材が連設される。よって、第１扉と第２扉とが揺動した場合には、容器を収納可能な領域の内側方向へ扉突起部材と側壁突起部材とが互いに向かい合って突起するので、容器が収納される場合には、容器の底面が扉突起部材と側壁突起部材と当接した状態で収納される。
【００２１】
請求項９記載のクーラーボックスは、請求項８記載のクーラーボックスにおいて、前記第１扉の下端部に形成され、その第１扉と第２扉とが前記第１の側壁の扉収納部に収納された状態で、前記第２扉の扉突起部材を収納可能な第１切欠部と、前記第２扉の下端部に形成され、前記第１扉と第２扉とが前記扉収納部に収納された状態で、前記第１の側壁の側壁突起部材を収納可能な第２切欠部とを備えている。
【００２２】
この請求項９記載のクーラーボックスによれば、請求項８記載のクーラーボックスと同様に作用する上、第１扉の下端部には、第２扉の扉突起部材を収納可能な第１切欠部が形成され、第２扉の下端部には、第１の側壁の側壁突起部材を収納可能な第２切欠部が形成されている。よって、扉突起部材が第１切欠部に収納されると共に側壁突起部材が第２切欠部に収納された状態で、第１扉と第２扉とが第１の側壁の扉収納部に収納される。
【００２３】
請求項１０記載のクーラーボックスは、請求項９記載のクーラーボックスにおいて、前記第１切欠部は、前記第１扉の厚み方向における長さが、その第１扉の厚みに対して少なくとも半分以上で且つ略同等以下となる長さで形成されると共に、前記扉突起部材は、前記筐体の底壁に対して略水平方向となる長さが、前記第１切欠部の前記第１扉の厚み方向における長さと略同等に形成されており、前記第２切欠部は、前記第２扉の厚み方向における長さが、その第２扉の厚みに対して少なくとも半分以上で且つ略同等以下となる長さで形成されると共に、前記側壁突起部材は、前記筐体の底壁に対して略水平方向となる長さが、前記第２切欠部の前記第２扉の厚み方向における長さと略同等に形成されている。
【００２４】
この請求項１０記載のクーラーボックスによれば、請求項９記載のクーラーボックスと同様に作用する上、第１切欠部の第１扉の厚み方向における長さは、第１扉の厚みに対して少なくとも半分以上で且つ略同等以下となる長さで形成される。その第１切欠部には、扉突起部材が収納される。扉突起部材の筐体の底壁に対して略水平方向となる長さは、第１切欠部の第１扉の厚み方向の長さと略同等に形成される。また、第２切欠部の第２扉の厚み方向における長さは、第２扉の厚みに対して少なくとも半分以上で且つ略同等以下の厚みとなる長さで形成される。その第２切欠部には、側壁突起部材が収納される。側壁突起部材の筐体の底壁に対して略水平方向となる長さは、第２切欠部の第２扉の厚み方向における長さと略同等に形成される。よって、扉突起部材の筐体の底壁に対して略水平方向となる長さは、第１扉の厚みに対して少なくとも半分以上で且つ略同等以下となる長さに形成されると共に、側壁突起部材の筐体の底壁に対して略水平方向となる長さは、第２扉の厚みに対して少なくとも半分以上で且略同等以下となる長さに形成される。
【００２５】
請求項１１記載のクーラーボックスは、請求項８から１０のいずれかに記載のクーラーボックスにおいて、前記第１扉は、前記筐体の底壁に対して略垂直方向に上下に分割されると共に、前記第２扉は、その上下に分割された第１扉の上側と連結され前記底壁の略垂直方向に伸縮可能に構成されており、前記側壁突起部材は、前記第２扉の伸縮可能な範囲に対応する範囲内で、前記底壁の略垂直方向に移動可能に構成されている。
【００２６】
請求項１２記載のクーラーボックスは、請求項１１記載のクーラーボックスにおいて、前記側壁突起部材は、その側壁突起部材の両側端部からそれぞれ突起する支持部材が前記扉収納部に形成される支持溝に嵌挿されることで支持されており、前記支持溝は、前記筐体の底壁に対して略垂直方向に複数形成されると共に、その複数の支持溝が連通溝によってそれぞれ連通され、前記第２扉は、前記底壁の略垂直方向において、前記複数の支持溝に対応する位置に伸縮して固定可能に構成されている。
【００２７】
請求項１３記載のクーラーボックスは、請求項１１又は１２に記載のクーラーボックスにおいて、前記上下に分割された上側の第１扉には、前記第２扉の伸縮範囲内および前記扉突起部材の移動範囲内において、前記第１切欠部と同形状の第３切欠部が形成されている。
【００２８】
請求項１４記載のクーラーボックスは、請求項８記載のクーラーボックスにおいて、前記扉突起部材は、先端が前記第２扉より前記容器を収納可能な領域の内側方向に上方傾斜して突起すると共に、その傾斜した位置と前記底壁に対して略水平となる位置との間を揺動するように後端が前記第２扉の下端部に連結される扉板部材と、その扉板部材を前記第２扉側方向に付勢する扉弾性部材とを有して形成されており、前記側壁突起部材は、先端が前記第１の側壁より前記容器を収納可能な領域の内側方向に上方傾斜して突起すると共に、その傾斜する位置と前記底壁に対して略水平となる位置との間を揺動するように後端が前記扉収納部の下端部に連結される側壁板部材と、その側壁板部材を前記第１の側壁側方向に付勢する側壁弾性部材とを有して形成されている。
【００２９】
請求項１５記載のクーラーボックスは、請求項２から１４のいずれかに記載のクーラーボックスにおいて、前記第１扉と第２扉とが揺動した場合に、前記第２扉と、前記第２の側壁側に隣接する第１扉または第２の側壁とを互いに固着する固着部を備えている。
【００３０】
請求項１６記載のクーラーボックスは、請求項１５記載のクーラーボックスにおいて、前記固着部は、前記第２扉の他端部に形成され、前記第１扉と第２扉とが揺動した状態で、前記第２の側壁側に凸状に突起する嵌合部と、前記第１扉の他端部または第２の側壁に形成され、前記第１扉と第２扉とが揺動した状態で、前記嵌合部と嵌合する凹状の溝で形成される嵌合溝とを備えて構成されている。
【００３１】
請求項１７記載のクーラーボックスは、請求項１から１６のいずれかに記載のクーラーボックスにおいて、前記第２扉には、その第２扉の表裏を連通する連通部が形成されている。
【００３２】
請求項１８記載のクーラーボックスは、請求項１から１７のいずれかに記載のクーラーボックスにおいて、前記第１の側壁および第２扉の上端部には、前記容器の上部に狭着され内部を密閉すると共にその第１の側壁と第２扉との間隔より長く形成されたキャップ部材の両端部が挿入される凹状の挿入部がそれぞれ形成されている。
【００３３】
請求項１９記載のクーラーボックスは、請求項１８記載のクーラーボックスにおいて、前記第１の側壁および第２扉の挿入部には、前記キャップ部材の両端部側面に形成された凹部と嵌合する凸部がそれぞれ形成されている。
【００３４】
請求項２０記載のクーラーボックスは、請求項１８又は１９に記載のクーラーボックスにおいて、前記筐体の側壁には、前記キャップ部材を収納可能なキャップ収納部が形成されている。
【発明の効果】
【００３５】
請求項１記載のクーラーボックスによれば、第１扉が第２の側壁と略平行になるよう揺動すると共に第２扉が第１の側壁と略平行になるよう揺動すると、その第１扉、第２扉、第１の側壁および第２の側壁の４つの面によって収納領域が形成され、その領域内に略箱形状の容器が収納される。よって、４つの面によって形成された収納領域内に収納された略箱形状の容器は、４つの面によって囲まれ傾きや倒れが防止されるので、内部に液体が充填された容器を収納した場合であっても、その容器内部から液体が流出することを防止でき、筐体内部に収納された食料品などが濡れてしまうことを防止することができるという効果がある。さらに、第１扉および第２扉は、容器を収納しない場合には第１の側壁に収納されるので、筐体内部の収納部を有効に利用することができるという効果がある。
【００３６】
また、例えば、容器の形状に応じて環状に形成されたリング部材（略箱形状に形成された容器に応じて正面視略四角形に形成されたリング部材も含む）を上下２箇所に取り付け、そのリング部材に容器を挿入すれば、容器の倒れや傾きを防止することができるが、筐体内部に食料品などが多く収納されている場合には、リング部材に挿入されている容器を取り出すと食料品が崩れてしまい、リング部材によって形成される容器の収納領域内に流入する。かかる場合に、再度容器をリング部材に挿入するためには、その崩れた食料品を取り除くという作業が必要となる。さらに、リング部材に挿入されている容器を取り出す際に、筐体内部に多くの食料品などが収納されていると、その食料品が容器に干渉するので、容器の取り出しが困難となる。しかし、本発明では、第１扉と第２扉とが板状に形成されているので、筐体内部に収納された食料品と、４つの面によって形成された収納領域内に収納される容器とを離隔することができるので、容器の収納および取り出しの度に煩雑な作業を強いられることを防止できると共に、容器の収納および取り出しをスムーズに行うことができるという効果がある。
【００３７】
請求項２記載のクーラーボックスによれば、請求項１記載のクーラーボックスの奏する効果に加え、第１扉と第２扉とが第１の側壁に複数並んで収納されており、その複数並んで収納された各扉が揺動した場合、第１の側壁、第１扉、第２扉および第２の側壁側に隣接する第１扉によって収納領域を形成するので、容器を収納可能な領域を複数並んで形成することができる。よって、略箱形状の容器の数が増えたとしても容易に対応することができるという効果がある。
【００３８】
請求項３記載のクーラーボックスによれば、請求項１又は２に記載のクーラーボックスの奏する効果に加え、第１扉は、第２の側壁と略平行となる位置に第１固定部材よって固定され、第２扉は、第１の側壁と略平行となる位置に第２固定部材によって固定されるので、第１扉と第２扉とを揺動した位置に固定することができる。よって、クーラーボックスが持ち運ばれて筐体内部に収納された食料品などが移動し、第１扉および第２扉と接触したとしても、その第１扉と第２扉とが固定された位置から簡単にズレることを防止できるので、各扉が揺動して形成された収納領域に収納された容器の傾きや倒れを確実に防止することができるという効果がある。
【００３９】
請求項４記載のクーラーボックスによれば、請求項１から３のいずれかに記載のクーラーボックスの奏する効果に加え、第１の側壁内に配設される仕切部材は、第１の側壁から筐体の底壁と略平行となるよう揺動され、揺動された状態で容器を収納可能な領域の筐体の開口側と底壁側との間を仕切るので、その収納領域内に容器が収納された場合にはその容器の底面を仕切部材によって支持することができる。よって、筐体の底壁の略垂直方向の長さが短い容器を収納する場合であっても、仕切部材を揺動させれば、収納した容器の上端部と筐体の開口との距離が短くなるので、その容器の取り出しが困難になることを防止することができるという効果がある。
【００４０】
また、筐体の底壁の略垂直方向における容器の長さより筐体の収納部の深さの方が長い場合には、仕切部材によって容器を収納可能な領域の筐体の開口側と底壁側とを仕切ることができるので、第１扉および第２扉をその各扉の上端部が筐体の開口と略同位置となる位置に配設することができる。よって、各扉の下方の領域に食料品などを収納することができるので、筐体内部の収納部を有効に利用することができるという効果がある。
【００４１】
なお、仕切部材を、外枠の内側に網目状の部材を設ける構造としたり、外枠の内側に棒体やパイプ等を縦方向および横方向に設けた格子状となる構造としたり、外枠の内側に棒体やパイプ等を縦方向のみ又は横方向のみに設けた構造としたり、容器の底面より小さな外形となる外枠のみの構造とした場合には、収納された容器に対しての冷暖作用を効率良く行うことができるという効果がある。
【００４２】
請求項５記載のクーラーボックスによれば、請求項４記載のクーラーボックスの奏する効果に加え、棒部材の両端部を支持する溝は、棒部材の外径と略同等となる内径で形成されその棒部材を支持する支持部と、棒部材の外径より小さな内径で形成されその棒部材が移動可能な移動部とが、筐体の底壁に対して略垂直方向に連続して形成されるいるので、棒部材を筐体の底壁に対して略垂直方向に移動して支持することができる。よって、棒部材によって揺動可能に構成された仕切部材は、筐体の底壁の略垂直方向に移動し任意の位置に固定できる。従って、筐体の底壁の略垂直方向の容器の大きさ（高さ）に応じて任意の位置に仕切部材を調整できるので、容器の上端部を筐体の開口近傍に位置させることができ、収納した容器の取り出しを容易に行うことができるという効果がある。
【００４３】
請求項６記載のクーラーボックスによれば、請求項４又は５に記載のクーラーボックスの奏する効果に加え、第１扉が筐体の底壁に対して略垂直方向に上下に分割され、第２扉がその上下に分割された第１扉の上側と連結されると共に底壁の略垂直方向に伸縮可能に構成されているので、第２扉を上側の第１扉と略同等となる大きさに縮めれば、下側の第１扉を第１の側壁に収納することができる。さらに、筐体の底壁の略垂直方向において、仕切部材を第１扉の下端部と略同等となる位置より上方へ揺動するよう構成した場合には、第１扉および第２扉の下方を食料品などを収納する領域として使用することができるので、筐体内部の収納部を有効に利用することができるという効果がある。
【００４４】
請求項７記載のクーラーボックスによれば、請求項４又は５に記載のクーラーボックスの奏する効果に加え、第１扉と第２扉とが、筐体の底壁に対して略垂直方向に上下にそれぞれ分割され、その上下に分割された上側の第１扉と第２扉および下側の第１扉と第２扉とがそれぞれ互いに連結されているので、下側の第１扉と第２扉を第１の側壁に収納することができる。さらに、筐体の底壁の略垂直方向において仕切部材を第１扉の下端部と略同等となる位置に揺動するよう構成した場合には、第１扉および第２扉の下方を食料品などを収納する領域として使用することができ、筐体内部の収納部を有効に利用することができるという効果がある。
【００４５】
請求項８記載のクーラーボックスによれば、請求項１から３のいずれかに記載のクーラーボックスの奏する効果に加え、第１の側壁の扉収納部の下端部に側壁突起部材が連設され、第２扉の下端部に扉突起部材が連設され、第１扉と第２扉とが揺動して容器を収納可能な領域が形成された場合には、その領域の内側方向へ扉突起部材と側壁突起部材とが互いに向かい合って突起する。よって、容器を収納する場合には、容器の底面と扉突起部材および側壁突起部材とが当接し、扉突起部材と側壁突起部材とによって容器の底面を支持して収納することができる。従って、容器を第１扉と第２扉の下端部分で支持できるので、筐体の底壁に対して略垂直方向における第１扉および第２扉の高さより筐体の深さの方が深い場合には、第１扉および第２扉の下方に食料品などを収納することができ、筐体内部の収納部を有効に利用することができるという効果がある。
【００４６】
請求項９記載のクーラーボックスによれば、請求項８記載のクーラーボックスの奏する効果に加え、第１扉の下端部には第１切欠部が形成され、第２扉の下端部には第２切欠部が形成されており、第１扉と第２扉とが第１の側壁の扉収納部に収納された状態では、扉突起部材を第１切欠部に収納できると共に側壁突起部材を第２切欠部に収納できる。よって、筐体の底壁に対して略水平に連設される扉突起部材と側面突起部材とを備える場合であっても、扉収納部が大きくなることを防止でき、第１の側壁が厚くなることを防止できる。従って、筐体の収納部を有効に利用できると共に、クーラーボックスが大規模化することを防止できるという効果がある。
【００４７】
請求項１０記載のクーラーボックスによれば、請求項９記載のクーラーボックスの奏する効果に加え、扉突起部材の筐体の底壁に対して略水平方向となる長さは、第１扉の厚みに対して少なくとも半分以上で且つ略同等以下となる長さに形成されると共に、側壁突起部材の筐体の底壁に対して略水平方向となる長さは、第２扉の厚みに対して少なくとも半分以上で且つ略同等以下となる長さに形成されている。
【００４８】
例えば、扉突起部材を第１扉の厚みに対して半分より短くなる長さで形成すると共に、側壁突起部材を第２扉の厚みに対して半分より短くなる長さで形成した場合、容器を収納可能な領域内に容器を収納すると、扉突起部材と側壁突起部材とによって容器の底面を支持できずに、容器が筐体の底壁方向へ落下してしまう。一方、扉突起部材を第１扉の厚みより長く形成すると共に、側壁突起部材を第２扉の厚みより長く形成した場合、第１切欠部および第２切欠部によって扉突起部材および側壁突起部材を収納できない。かかる場合に、第１扉および第２扉と扉突起部材および側壁突起部材とを扉収納部に収納するためには、扉収納部を大きく形成する必要があり、筐体の収納部を有効に利用できないと共にクーラーボックスが大規模化してしまう。
【００４９】
しかし、本発明では、扉突起部材が第１扉の厚み対して少なくとも半分以上で且つ略同等以下となる長さで形成されると共に、側壁突起部材が第２扉の厚みに対して少なくとも半分以上で且つ略同等以下となる長さで形成されるので、収納された容器が落下してしまうことを防止でき確実に支持できると共に、筐体の収納部を有効に利用しつつクーラーボックスが大規模化することを防止できるという効果がある。
【００５０】
請求項１１記載のクーラーボックスによれば、請求項８から１０のいずれかに記載のクーラーボックスの奏する効果に加え、第１扉が筐体の底壁に対して略垂直方向に上下に分割され、第２扉がその上下に分割された第１扉の上側と連結されている。第２扉は、底壁の略垂直方向に伸縮可能に構成されると共に、側壁突起部材は、第２扉の伸縮可能な範囲に対応する範囲内で底壁の略垂直方向に移動可能に構成されている。よって、第２扉を第１扉と略同等の大きさとなるよう伸縮させると共に、その伸縮された第２扉の扉突起部材に対応する位置まで側壁突起部材を移動させれば、下側の第１扉を第１の側壁に収納することができる。従って、第１扉および第２扉の下方の領域を、さらに広くすることができるので、筐体内部の収納部をさらに有効に利用することができるという効果がある。
【００５１】
請求項１２記載のクーラーボックスによれば、請求項１１記載のクーラーボックスの奏する効果に加え、側壁突起部材は、第１の側壁に形成される支持溝に側壁突起部材の両側端部からそれぞれ突起した支持部材が嵌挿されて支持されている。その支持溝は、底壁に対して略垂直方向に複数形成され、その複数の支持溝は連通溝によってそれぞれ連通されている。よって、側壁突起部材の略垂直方向への移動は、連通溝を介して行うことができるので、側壁突起部材を移動させる際に支持部材を支持溝から一端取り外し、再度支持部材を支持溝に嵌挿する煩雑な作業を必要とせず、スムーズに移動させることができるという効果がある。
【００５２】
さらに、第２扉は、筐体の底壁の略垂直方向において、複数の支持溝に対応する位置に伸縮して固定可能に構成されているので、収納される容器の大きさ（高さ）に応じて扉突起部材と側壁突起部材との位置を調整できる。よって、収納した容器の上端部と筐体の開口との距離を短くできるので、その容器の取り出しが困難になることを防止することができるという効果がある。
【００５３】
請求項１３記載のクーラーボックスによれば、請求項１１又は１２に記載のクーラーボックスの奏する効果に加え、上下に分割された上側の第１扉には、第２扉の伸縮範囲内および扉突起部材の移動範囲内において、第１切欠部と同形状の第３切欠部が形成されている。よって、収納頻度の高い容器の大きさ（高さ）に応じた位置に第３切欠部が形成されている場合には、扉突起部材と側壁突起部材とをその収納頻度の高い容器の大きさ（高さ）に応じて調整した状態のまま、第１扉と第２扉とを扉収納部に収納することができる。さらに、第３切欠部は、上側の第１扉に形成されているので、扉突起部材と側壁突起部材とが第３切欠部の形成位置に対応して調整されていれば、下側の第１扉を揺動することなく、上側の第１扉と縮められた状態の第２扉とを揺動するだけで、容器を収納可能な領域が形成できる。よって、各扉を揺動して直ぐに収納頻度の高い容器を収納できるので、その都度、扉突起部材と側壁突起部材を調整する必要がなく、作業手順を軽減することができるという効果がある。
【００５４】
請求項１４記載のクーラーボックスによれば、請求項８記載のクーラーボックスの奏する効果に加え、扉突起部材は、後端が第２扉の下端部に揺動可能に連結されると共に先端が上方傾斜した扉板部材と、その扉板部材を第２扉側方向に付勢する扉弾性部材とで構成されている。また、側壁突起部材は、後端が扉収納部の下端部に揺動可能に連結されると共に先端が上方傾斜した側壁板部材と、その側壁板部材を第１の側壁側方向に付勢する側壁弾性部材とで構成されている。よって、扉板部材と側壁板部材とは上方傾斜した状態で扉収納部に収納され、筐体の底壁に対して略水平方向となる厚さを短くできるので、扉収納部が大きくなることを防止できる。従って、筐体の収納部を有効に利用することができると共に、クーラーボックスが大規模化することを防止することができるという効果がある。
【００５５】
また、扉板部材と側壁板部材とが、底壁に対して略平行となる位置まで揺動すると、扉板部材と側壁板部材とが底壁に対して略平行に形成されている場合と比較して、容器の底面と当接する面積が広くなるので、より確実に容器を支持することができるという効果がある。
【００５６】
さらに、容器を収納する場合には、容器を筐体の底壁方向に押し込むと、容器の底面が扉板部材の上方傾斜した先端および側壁板部材の上方傾斜した先端と当接し、さらに、容器を押し込むことに伴い、扉板部材と側壁板部材とが筐体の底壁と略平行となる位置まで揺動して、容器の底面を支持する。容器を取り出す場合には、扉弾性部材および側壁弾性部材によって扉板部材と側壁板部材とが上方傾斜する位置まで戻される。よって、容器の収納と取り出しに伴い扉板部材と側壁板部材とが揺動するので、扉突起部材と側壁突起部材を容器の収納と取り出しの度に調整する必要がなく、煩雑な作業を少なくすることができるという効果がある。
【００５７】
請求項１５記載のクーラーボックスによれば、請求項２から１４のいずれかに記載のクーラーボックスの奏する効果に加え、第１扉と第２扉とが揺動した場合に、第２扉と、第２の側壁側に隣接する第１扉または第２の側壁とを互いに固着する固着部を備えているので、第１扉と第２扉とを揺動した状態で、第２扉と隣接する第１扉または第２の側壁とを強固に固着することができる。よって、クーラーボックスが持ち運ばれて筐体内部に収納された食料品などが移動し、第１扉および第２扉と接触したとしても、その第１扉と第２扉とが固定された位置から簡単にズレることを防止できるので、各扉が揺動して形成された収納領域に収納された容器の傾きや倒れを確実に防止することができるという効果がある。
【００５８】
請求項１６記載のクーラーボックスによれば、請求項１５記載のクーラーボックスの奏する効果に加え、固着部は、第２扉の他端部に形成され、第１扉と第２扉とが揺動した状態で、第２の側壁側に凸状に突起する嵌合部と、第１扉の他端部または第２の側壁に形成され、第１扉と第２扉とが揺動した状態で、嵌合部と嵌合する凹状の溝で形成される嵌合溝とを備えて構成されている。よって、第１扉と第２扉とが揺動した場合に、嵌合部と嵌合溝とが嵌合して第２扉と第１扉または第２の側壁とが強固に固着される。従って、第１扉と第２扉とが揺動した位置からズレることをより確実に防止できるので、各扉が揺動して形成された収納領域に収納された容器の傾きや倒れをより確実に防止することができるという効果がある。
【００５９】
請求項１７記載のクーラーボックスによれば、請求項１から１６のいずれかに記載のクーラーボックスの奏する効果に加え、第２扉には、その第２扉の表裏を連通する連通部が形成されているので、第２扉の連通部を介して各扉が揺動して形成された収納領域の内部と外部とを連通させることができる。よって、その収納領域に収納された容器に対しての冷暖作用を効率良く行うことができるという効果がある。
【００６０】
請求項１８記載のクーラーボックスによれば、請求項１から１７のいずれかに記載のクーラーボックスの奏する効果に加え、第１の側壁の上端部に形成される挿入部と第２扉の上端部に形成される挿入部とに、容器の上部を狭着し内部を密閉するキャップ部材の両端部を挿入することができるので、上端部にキャップ部材が狭着された容器をそのキャップ部材の両端部が各挿入部に挿入させた状態で収納することができる。よって、キャップ部材と２つの挿入部とによって容器が固定されるので、その容器の傾きや倒れを確実に防止することができるという効果がある。また、内部に液体が充填された容器を収納した場合であっても、キャップ部材によって容器内部が密閉されるので、クーラーボックスが持ち運ばれて容器が揺れたとしても、液体が開封部から漏れ出すことを防止することができるという効果もある。
【００６１】
請求項１９記載のクーラーボックスによれば、請求項１８記載のクーラーボックスの奏する効果に加え、第１の側壁および第２扉の挿入部には、キャップ部材の両端部側面に形成された凹部と嵌合する凸部がそれぞれ形成されているので、キャップ部材を挿入部に挿入した状態で固定できる。よって、クーラーボックスが持ち運ばれて上下方向に揺れた場合であっても、キャップ部材が挿入部から外れて容器が収納領域から飛び出すことを防止できるので、容器が傾いたり倒れたりすることをより確実に防止することができるという効果がある。
【００６２】
請求項２０記載のクーラーボックスによれば、請求項１８又は１９に記載のクーラーボックスの奏する効果に加え、筐体の側壁には、キャップ部材を収納可能なキャップ収納部が形成されているので、キャップ部材をクーラーボックスとは別に持ち運ぶ必要がなく、キャップ部材が紛失してしまうことを防止できるという効果がある。
【発明を実施するための最良の形態】
【００６３】
以下、本発明の好ましい実施例について、添付図面を参照して説明する。図１は、本発明の第１実施例におけるクーラーボックス１の外観の概略を示した斜視図である。
【００６４】
クーラーボックス１は、上部が開口され内部に各種の品物や容器（例えば、食品や紙パック、ペットボトル、缶詰などの食料品）を収納することができる収納部を有する略箱形状の筐体２と、その筐体２の開口を開閉する蓋３とを備えている。筐体２は、底壁２ａと４つの側壁２ｂ，２ｃ，２ｄ，２ｅとから構成され、その底壁２ａと側壁２ｂ〜側壁２ｅによって囲まれた領域が収納部となる。なお、紙面正面が側壁２ｂであり、その側壁２ｂと対向する紙面奥側が側壁２ｃ（第２の側壁）であり、紙面右側が側壁２ｄ（第１の側壁）であり、その側壁２ｄと対向する紙面左側が側壁２ｅである。蓋３は、側壁２ｃと２つの蝶番４を介して連結されており、蓋３を閉じる場合には蓋３の止め具５と側壁２ｂの受け具６とによってクーラーボックス１内が略密閉された状態で閉じられる。
【００６５】
なお、筐体２及び蓋３は、断熱構造に構成されており、収納された食料品などの温度を保つことができる。また、図示しないが、冷房装置や暖房装置を取り付け保冷効果または保温効果を向上するよう構成しても良いし、さらに送風装置を取り付けて保冷効果または保温効果を向上するよう構成しても良い。
【００６６】
側壁２ｄには、各扉が収納される扉収納部１５が形成されており、その扉収納部１５内に板状に形成された各扉が複数並んで収納されている。その各扉のうち側壁２ｃ側は、上側第１扉７ａと下側第１扉７ｂとを有する第１扉７と第２扉８とが連結して収納されており、その第１扉７及び第２扉８の側壁２ｂ側には、第１扉９と第２扉１０とが連結した各扉が２つ並んで収納されている。この第１扉７，９は、第２扉８，１０より筐体２の内側に収納されており、その材質は筐体２の内壁面の材質と同一に構成されているので、各扉が収納された状態で筐体２内部の美観を損なうことがない。なお、本第１実施例では、３つの各扉が並んで収納されているが、この各扉はクーラーボックス１の大きさに応じてその数を変更可能である。
【００６７】
また、上側第１扉７ａの表面には第１扉７ａを筐体２内側方向に揺動するためにユーザーが指を掛ける指掛け部７ａ１が形成されている。同様に、下側第１扉７ｂの表面には指掛け部７ｂ１が形成され、第１扉９の表面には指掛け部９ａ１が形成されている。
【００６８】
さらに側壁２ｄには、第２扉８，１０より筐体２の外側にキャップ部材１１を収納可能なキャップ収納部１２が形成されている。キャップ部材１１は、公知の紙パック１４（容器）（図１０参照）の上部を狭着して内部を密封するためのものである。拡大図に示すように、キャップ部材１１は上面視略コ字状の枠体で形成されており、その枠体は紙面上部から端部１１ａ、狭着部１１ｂ及び端部１１ｃとの３つの部分から構成されている。キャップ部材１１の狭着部１１ｂの両側表面（紙面正面側と裏側）には、その狭着部１１ｂの長手方向に亘って突起１１ｄが形成されている（紙面裏側の突起１１ｄは図示せず）。また、端部１１ａ及び端部１１ｃの両側には、それぞれ凹状の凹部１１ａ１，１１ｃ１が形成され（紙面裏側の凹部１１ａ１，１１ｃ１は図示せず）、狭着部１１ｂの紙面正面側上部には凹状の凹部１１ｂ１が形成されている。凹部１１ｂ１は、その内部が端部１１ａ側に貫通する貫通路（図示せず）を有し、端部１１ａのその貫通路に対応する位置には、その凹部１１ｂ１から端部１１ａ側に固定ピン１５（図９参照）を差し込んだ場合にそのピン１５が侵入する侵入孔（図示せず）が形成されている。
【００６９】
なお、公知の紙パック１４は、牛乳やジュースなどの液体飲料が充填されるゲーブルトップ型紙パックであり、耐水性を有するクラフト紙にポリエチレン樹技で構成された薄膜を接着したポリエチレンラミネート紙を折り畳み加熱して圧着することによって形成されている。よって、紙パック１４は、その上部が切妻屋根（Ｇａｂｌｅ  Ｒｏｏｆ）状に折り畳まれており、その上端部が接着されている。従って、紙パック１４は、内部に充填された液体を注ぎ出すために、上端部の一方を一旦開放すると、その開放した一方の上端部を折り畳んだとしても内部を完全に密封することができない。
【００７０】
キャップ収納部１２は、キャップ部材１１を収納するための溝であり、側壁２ｄの上側となる面と筐体２内側となる面とが開放されると共に、溝の内形がキャップ部材１１の外形と略同等となる大きさに形成されている。なお、このキャップ収納部１２にキャップ部材１１を収納する場合には、コ字状の開放された端面側（紙面左側）が筐体２の内側となるよう収納される。
【００７１】
このキャップ収納部１２の対向する両端面（側壁２ｂ，２ｃと略平行となる端面）には、キャップ部材１１の突起１１ｄが緩挿される緩挿溝１２ａが形成されている。キャップ部材１１がキャップ収納部１２に収納された場合には、突起１１ｄが緩挿溝１２ａ内に緩挿されるので、キャップ部材１１が傾いて収納されることを防止できる。
【００７２】
また、キャップ収納部１２の対向する両端面には、キャップ部材１１が収納された場合に、凹部１１ａ１又は凹部１１ｃ１と嵌合する凸部１２ｂが形成されており、凹部１１ａ１又は凹部１１ｃ１と凸部１２ｂが嵌合することによって、キャップ部材１１がキャップ収納部１２から上方に飛び出すことを防止できる。
【００７３】
さらに、キャップ収納部１２の対向する両端面の上端部には、キャップ部材１１の抜き差しの作業性を向上させるための抜差溝１２ｃが形成されている。よって、ユーザーがキャップ部材１１を抜き出す場合には、抜差溝１２ｃ内に指を挿入してキャップ部材１１を両側から挟んで持ち上げることができる。
【００７４】
なお、キャップ収納部１２は、キャップ部材１１が狭着された状態の紙パック１４を収納する場合に、端部１１ａ，１１ｃのどちらか一方が挿入される挿入部として作用するが、その詳細な説明については後述する。
【００７５】
ここで、図２及び図３を参照して、筐体２の側壁２ｄに収納された第１扉９及び第２扉１０について説明する。図２は、図１に示したＩＩＩ−ＩＩＩ断面線における側壁２ｄの垂直方向の断面を拡大して示した拡大断面図であり、図３は、第１扉９及び第２扉１０を開く手順を示した説明図である。なお、図３（ａ）は、第１扉９が側壁２ｄから揺動して開いた状態を示しており、図３（ｂ）は、第２扉１０が第１扉９から揺動して開いた状態を示している。
【００７６】
筐体２の側壁２ｄに収納される第１扉９と第２扉１０とは、筐体２の内側から外側に向かって、第１扉９、第２扉１０の順番に収納されている。第１扉９は、連結部材２０によって側壁２ｄから筐体２の内側方向に揺動可能に連結されている。連結部材２０は、棒状に形成されており、一端が側壁２ｄの上部に固定されると共にその一端から筐体２内側に延び底壁２ａ方向に略直角に屈曲した他端が底壁２ａに固定されている。第１扉９の一端側は、連結部材２０の外径より大きな内径に形成された挿通孔２１（図１１参照）が第１扉９の一端側の上部から下部に亘って貫通して構成され、この挿通孔２１に連結部材２０が挿通されて第１扉９が揺動可能に構成されている。
【００７７】
第２扉１０は、デットポイントを有する蝶番からなる２つの連結部材２２によって第１扉９から筐体２の内側方向に揺動可能に連結されている。なお、デットポイントを有する蝶番とは、第２扉１０が第１扉９と略平行に位置する場合にはその第２扉１０を第１扉９側に付勢すると共に、第２扉１０が第１扉９と略直角となる方向に揺動されてデットポイントを通過した場合には第２扉１０を第１扉９から離れる方向に付勢するものである。さらにその蝶番は、付勢力によって第１扉９から離れる方向に揺動される第２扉１０を第１扉９と略直角となる位置で停止させる停止部材（図示せず）を備えている。
【００７８】
第２扉１０は、外枠１０ａと、その外枠１０ａの内側に略平行に設けられた３つのパイプ１０ｂとによって構成されている。外枠１０ａの上部略中心部には、キャップ部材１１の端部１１ａ，１１ｃを挿入可能な挿入部２３が形成され、その挿入部２３の対向する端面には、キャップ部材１１の凹部１１ａ１，１１ｃ１のいずれか一方と嵌合する凸部２４がそれぞれ配設されている。
【００７９】
なお、図２に示した連結部材２０，２２は、第１扉７と側壁２ｄとを連結する連結部材２０と、上側第１扉７ａと第２扉８とを連結する連結部材２２とが図示されている。
【００８０】
筐体２の側壁２ｄから第１扉９と第２扉１０とを揺動して開く場合には、先ず、第１扉９の指掛け部９ａ１にユーザーが指を掛け、第１扉９を筐体２の内側方向へ揺動し側壁２ｃ（図１参照）と略平行になる位置まで開く（図３（ａ）の状態）。次に、第２扉１０を筐体２の内側方向へ揺動し側壁２ｄと略平行になる位置まで開くことで行われる（図３（ｂ）の状態）。また、第１扉９と第２扉１０とを側壁２ｄに収納する場合には、開く場合と反対の手順を行い、第２扉１０を第１扉９方向に揺動し、その後、第１扉９を側壁２ｄ方向に揺動して行われる。なお、第１扉９及び第２扉１０は、第１扉９及び第２扉１０が側壁２ｄに収納された位置と、第１扉９及び第２扉１０が揺動して開かれた位置とに固定されるが、その詳細については後述する。
【００８１】
次に、図４〜図６を参照して、筐体２の側壁２ｄに収納された第１扉７、第２扉８及び仕切部材２５について説明する。図４は、図１に示したＩＶ−ＩＶ断面線における側壁２ｄの垂直方向の断面を拡大して示した拡大断面図である。図５は、第２扉８の外観と部分的な断面を示した図であり、図５（ａ）が第２扉８の外観を示した外観図であり、図５（ｂ）が第２扉８の部分的な断面を示した断面図である。図６は、第１扉７及び第２扉８を開く手順と仕切部材２５を揺動する手順を示した説明図であり、図６（ａ）〜図６（ｆ）は、第１扉７、第２扉８及び仕切部材２５の各状態を示している。
【００８２】
筐体２の側壁２ｄに収納される第１扉７は、上述したように、上側第１扉７ａと下側第１扉７ｂとから構成されており、第１扉９同様に一端側に形成された挿通孔２１（図１１参照）に連結部材２０が挿通され、側壁２ｄから筐体２の内側方向に揺動可能に連結されている。
【００８３】
第２扉８は、第２扉１０同様に２つの蝶番からなる連結部材２２によって上側第１扉７ａから筐体２の内側方向に揺動可能に連結されている。この第２扉８も、外枠８ａと３つのパイプ８ｂとによって構成され、外枠８ａの上部略中心部には凸部２４が配設された挿入部２３が形成されている。なお、この第２扉８は、上下方向に伸縮可能に構成されており、その構造について図５を参照して以下に説明する。
【００８４】
図５（ａ）に示すように、第２扉８の外枠８ａは、上側外枠８ａ１と下側外枠８ａ２とで構成されており、下側外枠８ａ２の外形が上側外枠８ａ１の内形より小さく形成され、その下側外枠８ａ２が上側外枠８ａ１の中空部に挿入されている。また、第２扉８のパイプ８ｂも同様に上側パイプ８ｂ１と下側パイプ８ｂ２とで構成され、下側パイプ８ｂ２の外形が上側パイプ８ｂ１の内形より小さく形成されており、下側パイプ８ｂ２が上側パイプ８ｂ１の中空部に挿入されている。
【００８５】
図５（ｂ）は、図５（ａ）の破線Ａの断面を示した断面図であり、第２扉８を伸縮させる構造を示している。上側外枠８ａ１の下端の開口部には、中空部内側に突起した突起部材２６が形成されている。その突起部材２６は、第２扉８を伸びた状態と縮んだ状態とに固定するための突起である。
【００８６】
下側外枠８ａ２には、上端部近傍にその下側外枠８ａ２の内側と外側との間を貫通する貫通孔２７が形成されると共に、下端部近傍にその下側外枠８ａ２の内側と外側との間を貫通する貫通孔２８が形成されている。
【００８７】
図５（ｂ）の状態では、上側外枠８ａ１の突起部材２６が下側外枠８ａ２の上端部近傍に形成された貫通孔２７に嵌っており、第２扉８が伸びた状態で固定されている。この状態の第２扉８は、第１扉７と略同等の大きさとなる。また、第２扉８を縮める場合には、、下側外枠８ａ２を上側に押し上げることにより行われる。下側外枠８ａ２を押し上げ始めると、突起部材２６が貫通孔２７内から外れて下側外枠８ａ２が上側外枠８ａ１の中空部を上方に移動すると共に下側パイプ８ｂ２が上側パイプ８ｂ１の中空部を上方に移動することで第２扉８が縮む。さらに下側外枠８ａ２を押し上げると、突起部材２６が貫通孔２８内に嵌って第２扉８が縮んだ状態で固定される。この状態の第２扉８は、上側第１扉７ａと略同等の大きさとなる。
【００８８】
ここで、図４に戻って説明する。図４に示すように、側壁２ｄの第２扉８より筐体２の外方下側（キャップ収納部１２の下方）には、第１扉７及び第２扉８とが揺動して開いた状態で、その第１扉と第２扉とで形成された領域を底壁２ａ側と開口側とに仕切る板状の仕切部材２５が配設されている。この仕切部材２５は、側壁２ｄに略直方体の凹状の溝で形成された配設部３０内に配設されている。その仕切部材２５は、配設部３０内の側壁２ｂ，２ｃと略平行となる端面に形成された溝（図示せず）に両端部が固定される棒部材３１によって、筐体２の内側方向に揺動可能に構成されている。仕切部材２５には、側壁２ｄ内に収納された状態で上方へ突起した突起部２５ａが形成され、配設部３０には、その突起部２５ａと嵌合する嵌合部３０ａが形成されている。
【００８９】
よって、仕切部材２５が側壁２ｄより筐体２の内側方向に底壁２ａと略平行となる位置まで揺動した場合には、仕切部材２５の突起部２５ａが配設部３０の嵌合部３０ａに嵌合して、その仕切部材２５が底壁２ａと略平行となる位置に保持される。また、仕切部材２５が揺動した状態では、底壁２ａの略垂直方向においてその仕切部材２５の下面が上側第１扉７ａの下端面と略同等となる位置になるよう構成されている。
【００９０】
仕切部材２５は、底壁２ａと略平行となるよう揺動した状態で保持されるので、第１扉７及び第２扉８が揺動して形成される収納領域Ｘ（図７参照）に紙パック１４を収納した場合には、その仕切部材２５の上面で紙パック１４の底面を支持することができる。即ち、収納領域Ｘの深さは、仕切部材２５が側壁２ｄに収納された状態の深さと、仕切部材２５が揺動した状態の深さとの２種類の異なる深さを形成することができる。本第１実施例では、仕切部材２５が側壁２ｄに収納された状態の深さ（筐体２の深さ）は、「１０００ミリリットル（以下「ｍｌ」と称す）」が充填された紙パック１４の高さと略同等に構成され、仕切部材２５が揺動された状態の深さは、「５００ｍｌ」が充填された紙パック１４の高さと略同等に構成されている。なお、紙パック１４の高さは、形状によって１ミリメートル（以下「ｍｍ」と称す）から６ｍｍ程度の違いがあるが、本実施例では、最も高い紙パック１４に対応して各種調整がなされている。また、紙パック１４の高さの違いは、数ｍｍであるので、紙パック１４の収納や取り出しが困難になるという弊害が生じることはない。
【００９１】
「１０００ｍｌ」用の紙パック１４を収納する場合には、上述した第１扉９と第２扉１０と同様の手順を行う。即ち、ユーザーが指掛け部７ａ１に指を掛け上側第１扉７ａを筐体２の内側方向に揺動して側壁２ｃと略平行になるように開く。この際、下側第１扉７ｂも第２扉８に押されて連動して揺動する。その後、第２扉８を筐体２の内側方向に揺動して側壁２ｄと略平行になるよう開くことによって、「１０００ｍｌ」用の紙パック１４を収納可能な領域が形成される。なお、第１扉７及び第２扉８を側壁２ｄに収納する場合には、第２扉８を第１扉７方向に揺動し、上側第１扉７ａと下側第２扉７ｂとを側壁２ｄ方向に揺動することで行われる。
【００９２】
ここで、図６を参照して、「５００ｍｌ」用の紙パック１４を収納する場合の、第１扉７と第２扉８とを開く手順および仕切部材２６を揺動する手順について説明する。
【００９３】
「５００ｍｌ」用の紙パック１４を収納する場合は、先ず、ユーザーが指掛け部７ｂ１に指を掛け下側第１扉７ｂを筐体２の内側方向に揺動して側壁２ｃと略平行となる位置まで開く（図６（ａ）の状態）。次に、図６（ａ）に示す矢印Ｂ方向に第２扉８の下側外枠８ａ２を押し上げると、上述したように上側外枠８ａ１の突起部２６が下側外枠８ａ２の貫通孔２８に嵌り、上側第１扉７ａと略同等となる大きさで固定される。（図６（ｂ）の状態）。この状態から、上述した第１扉９と第２扉１０の揺動手順と同様に、上側第１扉７ａを筐体２の内側方向（図中矢印Ｃ方向）に揺動し側壁２ｃと略平行になるよう開き（図６（ｃ）の状態）、第２扉８を筐体２の内側方向（図中矢印Ｄ方向）に揺動し側壁２ｄと略平行になるよう開く（図６（ｄ）の状態）。そして、仕切部材２５を筐体２の内側方向（図中矢印Ｅ方向）に底壁２ａと略平行になる位置まで揺動し（図６（ｅ）の状態）、下側第１扉７ｂを側壁２ｄ方向（図中矢印Ｆ方向）に揺動して下側第１扉７ｂを側壁２ｄに収納して（図６（ｆ）の状態）、「５００ｍｌ」用の紙パック１４を収納可能な領域が形成される。
【００９４】
なお、第１扉７及び第２扉８を側壁２ｄに収納する場合には、先ず、下側第１扉７ｂを側壁２ｃと略平行となるよう開き、仕切部材２５を側壁２ｄ方向に揺動して側壁２ｄ内に収納する。その後、縮められた状態の第２扉８を伸ばして第１扉７方向に揺動し、上側第１扉７ａと下側第１扉７ｂとを側壁２ｄ方向に揺動して収納が行われる。
【００９５】
また、第１扉７及び第２扉８も、第１扉７及び第２扉８が側壁２ｄに収納された位置と、第１扉７及び第２扉８が揺動して開かれた位置とに固定されるが、その詳細については後述する。
【００９６】
ここで、図７を参照して、上述した揺動手順により第１扉７，９と第２扉８，１０とが開かれた状態について説明する。図７は、側壁２ｄに収納された各扉が開いた状態を示した部分斜視図である。なお、第１扉７及び第２扉８は、「５００ｍｌ」用の紙パック１４に対応した大きさに調整された場合を示している。
【００９７】
図示するように、第１扉７及び第２扉８は、「５００ｍｌ」用の紙パック１４が収納されるよう収納領域Ｘが調整されている。この収納領域Ｘは、上側第１扉７ａと第２扉８と側壁２ｃ，２ｄ（第１の側壁と第２の側壁）との４つの面で構成されている。また、紙面右側となる第１扉９及び第２扉１０は、第１扉９と第２扉１０と側壁２ｄと上側第１扉７ａ（第２の側壁側に隣接する第１扉）との４つの面で紙パック１４の収納領域Ｙが構成され、さらに紙面右側となる第１扉９と第２扉１０は、第１扉９，９と第２扉１０と側壁２ｄの４つの面で紙パック１４の収納領域Ｙが構成されている。
【００９８】
また、各収納領域Ｘ，Ｙに紙パック１４が収納された場合には、第２扉８，１０が外枠８ａ，１０ａに３つのパイプ８ｂ，１０ｂを接合した構成であるので、第２扉８，１０の表裏が連通した状態となる。即ち、筐体２の収納部と紙パック１４の収納領域Ｘ，Ｙとが互いに連通した状態となるので、収納された紙パック１４に対しての冷暖作用を効率良く行うことができる。
【００９９】
さらに、収納する紙パック１４の数が少ない場合には、側壁２ｃ側からその紙パック１４の数に対応して第１扉７，９及び第２扉８，１０を揺動し、使用しない各扉は側壁２ｄに収納できるので、筐体２の収納部を有効に利用することができる。また、「５００ｍｌ」用の紙パック１４を収納する場合には、仕切部材２５を揺動することによって「５００ｍｌ」用の紙パック１４の上端部が筐体２の開口と略同等となる位置になるので、紙パック１４の取り出しが困難となることを防止できる。さらに、仕切部材２５の下方の領域Ｚは、筐体２の収納部として利用することができ、その他の食料品などを収納することができるので、筐体２の収納部をさらに有効に利用することができる。
【０１００】
次に、図８及び図９を参照して、キャップ部材１１の構造と紙パック１４の上端部を狭着する手順について説明する。図８は、キャップ部材１１を拡大して示した斜視図である。図９は、キャップ部材１１が紙パック１４の上端部を狭着する手順を示した説明図であり、図９（ａ）〜図９（ｃ）は、キャップ部材１１の各状態を示している。なお、図９に示した紙パック１４は、内部に充填された液体を注ぎ出すために一旦開封された状態の紙パック１４である。
【０１０１】
キャップ部材１１は、上述したように、端部１１ａと狭着部１１ｂと端部１１ｃの３つの部分で構成されており、紙パック１４の上部を狭着して紙パック１４の内部を密封するためのものである。キャップ部材１１は、対向する側面と上面とで構成され断面視略コ字状に形成された枠体であり、耐衝撃性および機械的強度が優れたポリカーボネート樹脂などの合成樹脂材料などで構成されている。
【０１０２】
図８に示すように、キャップ部材１１は、端部１１ｃと狭着部１１ｂとの１つの側面側がヒンジ部材４０によって揺動可能に連結され、端部１１ｃに対して端部１１ａと狭着部１１ｂとが一体となって紙面正面から奥側方向に揺動する。狭着部１１ｂは、ヒンジ部材（図示せず）によって１つの側面に対して上面と他方の側面とからなる揺動部４３が紙面上下方向に揺動可能に構成されている。また、キャップ部材１１の対向する側面同士の内壁面には、紙パック１４の密封力を向上させるために突起した密封補助部材４１が上下２列に形成されている。この密閉補助部材４１は、断面紙略三角形に形成されており、その三角形の頂点で紙パック１４の上端部を押圧することで密封力が向上する。
【０１０３】
図９に示すように、紙パック１４にキャップ部材１１を狭着する場合には、まず、紙パック１４の開封されていない方の上端部４２ａにキャップ部材１１の端部１１ｃを差し込む（図９（ａ）の状態）。キャップ部材１１の端部１１ｃを紙パック１４の上端部４２ａに差し込むと、端部１１ｃで上端部４２ａを狭着してキャップ部材１１が固定されるので、その後の狭着作業の作業性を向上することができる。
【０１０４】
端部１１ｃを上端部４２ａに差し込んだら、端部１１ａと狭着部１１ｂとを紙面奥側から正面側に、その狭着部１１ｂの一方の側面と紙面裏側となる上端部１４ａ１，１４ａ２とが接触するよう揺動し（図９（ｂ）の状態）、その後、揺動部４３を紙面上側から下側に、その揺動部４３の他方の側面と紙面正面となる上端部４２ａ，４２ｂとが接触するように揺動する（図９（ｃ）の状態）。図９（ｃ）の状態で、固定ピン１５を図中矢印Ｇ方向に凹部１１ｂ１内に差し込み端部１１ａ側に押し込みむことで狭着部１１ｂが固定されて、キャップ部材１１が紙パック１４に狭着される。キャップ部材１１が紙パック１４に狭着された状態では、密封補助部材４１によって上端部４２ａ，４２ｂが押圧されるので、紙パック１４の内部を密封することができ、紙パック１４が傾いたり倒れたり上下に揺れたりした場合であっても、内部に充填された液体が開封された上端部４２ｂから流出することを防止できる。
【０１０５】
次に、図１０を参照して、キャップ部材１１が狭着された状態の紙パック１４を各扉が揺動して形成された収納領域Ｘ，Ｙ（図７参照）に収納する手順について説明する。図１０は、キャップ部材１１が狭着された紙パック１４が収納領域Ｘに収納された状態を示した説明図である。なお、第１扉９及び第２扉１０によって形成される収納領域Ｙへ紙パック１４を収納する手順は、第１扉７及び第２扉８によって形成される収納領域Ｘに紙パック１４を収納する手順と同様であるので、その説明は省略する。
【０１０６】
図示するように、紙パック１４の上端部４２ａ，４２ｂには、キャップ部材１１が狭着されており、そのキャップ部材１１によって紙パック１４の内部が密封されている。キャップ部材１１は、第１扉７及び第２扉８が揺動して開いた状態で、側壁２ｂと第２扉８との間隔より長く形成されているので、紙パック１４の上端部４２ａ，４２ｂより外方に突出している。
【０１０７】
そのキャップ部材１１の端部１１ａは、第２扉８の挿入部２３に挿入され端部１１ａの凹部１１ａ１（図８参照）と挿入部２３の凸部２４（図７参照）とが嵌合すると共に、キャップ部材１１の端部１１ｃは、側壁２ｄのキャップ収納部１２内に挿入され端部１１ｃの凹部１１ｃ１（図８参照）とキャップ収納部１２の凸部１２ｄ（図１参照）とが嵌合して、キャップ部材１１が挿入部２３とキャップ収納部１２との間に固定される。よって、クーラーボックス１が持ち運ばれて揺れたとしても、紙パック１４が傾いたり倒れたりすることを確実に防止できる。また、このキャップ収納部１２は、キャップ部材１１の端部１１ｃを挿入し固定するので、キャップ部材１１を収納するだけでなく第２扉８の挿入部２３と同様の挿入部の作用も有する。
【０１０８】
なお、本第１実施例では、キャップ部材１１を狭着した状態の紙パック１４を収納領域Ｘに収納するものとしたが、収納領域Ｘに紙パック１４が収納された状態でキャップ部材１１を狭着するものとしても良い。この場合には、キャップ部材１１の端部１１ａ，１１ｃを第２扉８の挿入部２３とキャップ収納部１２とに挿入する際に、端部１４ｃを紙パック１４の上端部４２ａに狭着させ、その後揺動部４３を揺動してキャップ部材１１を紙パック１４の上端部４２ａ，４２ｂに狭着する。
【０１０９】
また、図１０では、第２扉８の挿入部２３に端部１１ａが挿入されると共にキャップ収納部１２に端部１１ｃが挿入される状態を示しているが、第２扉８の挿入部２３に端部１１ｃを挿入すると共にキャップ収納部１２に端部１１ａを挿入することも可能である。
【０１１０】
ここで、図１１を参照して、各扉が側壁２ｄに収納された位置と各扉が揺動して開かれた位置とに、第１扉７，９及び第２扉８，１０を固定するための構造について説明する。図１１は、第１扉７，９及び第２扉８，１０をそれぞれ固定するための構造を示した説明図である。なお、図１１（ａ）は、第１扉７，９（第１扉７においては上側第１扉７ａのみ）を固定するための構造を示した斜視図であり、図１１（ｂ）は、第１扉７，９（第１扉７においては下側第１扉７ｂのみ）及び第２扉８，１０を固定するための構造を示した図である。また、図１１（ｃ）は、第１扉８，１０を第１扉７，９に対して略直角となる位置に固定するための構造を示した斜視図である。なお、以下では、第１扉７及び第２扉８について説明し、第１扉９及び第２扉１０については、同一の構造となるためその説明は省略する。
【０１１１】
図１１（ａ）は、上側第１扉７ａの上端部を示した拡大斜視図であり、連結部材２０を省略して示してある。紙面正面となる端面５０は、上側第１扉７ａが揺動して開いた場合に側壁２ｄと対向する面であり、紙面右側が上側第１扉７ａが側壁２ｄに収納された場合にその側壁２ｄと対向する端面５１である。
【０１１２】
また、図示するように、上側第１扉７ａの上端部には、連結部材２０が嵌り込み上側第１扉７ａの揺動位置を固定する上面視略Ｌ字状の固定溝５２が形成され、その固定溝５２の一端側は端面５０側まで延びると共に他端側は端面５１側まで延びている。上側第１扉７ａの上端部のうち固定溝５２に囲まれた部分５３は、上側第１扉７ａの上端面より低く、さらにテーパ状に形成されている。そのため、上側第１扉７ａが揺動する場合であってもその部分５３による抵抗が小さくスムーズに動作させることができる。
【０１１３】
上側第１扉７ａが側壁２ｄに収納された状態では、連結部材２０は挿通孔２１から端面５１に延びる固定溝５２に嵌り固定される。また、上側第１扉７ａが揺動して側壁２ｃと略平行となる位置に開いた状態では、連結部材２０は挿通孔２１から端面５０に延びる固定溝５２に嵌り固定される。
【０１１４】
図１１（ｂ）は、下側第１扉７ｂ及び第２扉８の下端部を拡大して示した図であり、この下側第１扉７ｂ及び第２扉８の下端部は、下側第１扉７ｂでは連結部材２０によって連結された一端側と反対側となる他端側の下端部であり、第２扉８では連結部材２２によって上側第１扉７ａと連結された一端側の反対側となる他端側の下端部である。
【０１１５】
図１１（ｂ）に示すように、下側第１扉７ａ及び第２扉８の下端部には、その下側第１扉７ａと第２扉８とが側壁２ｄに収納された位置と各扉が揺動して開いた位置に固定するための固定部材５５が取り付けられている。この固定部材５５は、各扉の他端側下端部に形成された円柱状の円柱溝５６内に、コイルバネなどで形成された弾性部材５７を配設し、円柱溝５６の開口部に略半球状の半球部材５８を固着して構成されている。この半球部材５８は、弾性部材５７の弾性力により下方に押圧されて突起すると共に、上方へ押圧された場合には円柱溝５６内に嵌り込むよう構成されている。即ち、図中矢印Ｈ方向に伸縮動作をすることができる。
【０１１６】
筐体２の底壁２ａには、下側第１扉７ｂ及び第２扉８が揺動して開いた位置と、その下側第１扉７ｂ及び第２扉８が側壁２ｄに収納された位置に、半球部材５８の直径と略同等の直径からなる半球状の半球溝（図示せず）が形成されている。その半球溝は、外周部がテーパ状に形成されているので、半球部材５８の出入りをスムースに行うことができる。下側第１扉７ｂ及び第２扉８とが上述した２つの位置にあるときには、半球部材５８が弾性部材５７によって押圧され外方に突起して半球溝内に嵌り込み下側第１扉７ｂと第２扉８がそれぞれ固定される。また、下側第１扉７ｂと第２扉８とを揺動する場合には、底壁２ａに半球部材５８が押され円柱溝５６内に入り込むことで、揺動動作が可能になる。
【０１１７】
なお、上述したように、第２扉８は、連結部材２２によって第１扉７と略平行となる位置に付勢されると共に第１扉７に対して略直角となる位置に付勢されて停止されるので、第２扉８に対応した固定部材５５と固定溝を備えない構成としても勿論かまわない。
【０１１８】
さらに、図１１（ｃ−１）に示すように、第２扉８に外方に突出した突出部５９を設け、第１扉７にその突出部５９と略同等の大きさに形成された切欠嵌合部６０を設け、その切欠嵌合部６０に突起６１を形成すると共に突出部５９にその突起６１が嵌る溝６２を形成する構成を追加するものとしても良い。この構成では、第２扉８が揺動された場合に突出部５９と嵌合部６０とが嵌合するので（図１１（ｃ−２）の状態）、第２扉８を第１扉７に対して略直角となる位置により強固に固定することができる。
【０１１９】
以上、説明したように、第１実施例のクーラーボックス１は、第１扉７，９を側壁２ｃと略平行となるように揺動すると共に第２扉８，１０を側壁２ｄと略平行になるように揺動することによって、紙パック１４を収納可能な収納領域Ｘ，Ｙを形成することができる。また、第１扉７，９の上端部に形成された固定溝５２と、第１扉７，９及び第２扉８，１０の下端部に形成された固定部材５５とによって揺動して開いた位置に各扉を固定できるので、紙パック１４が傾いたり倒れたりすることを確実に防止することができる。また、紙パック１４を収納しない場合は、第１扉７，９及び第２扉８，１０を側壁２ｄに収納できるので、筐体２の収納部の収納領域を有効に利用することができる。
【０１２０】
次に、図１２を参照して、第２実施例のクーラーボックス１について説明する。図１２は、第２実施例のクーラーボックス１の側壁２ｄに収納された各扉が開いた状態を示した部分斜視図である。なお、第１実施例と同一の部分には同一の符号を付して、その説明は省略する。
【０１２１】
第２実施例のクーラーボックス１は、側壁２ｄに収納される各扉の全てが上下に分割されている。第１扉１０７は、上側第１扉１０７ａと下側第１扉１０７ｂとの上下に分割され、第２扉１０８が上下方向に伸縮自在に構成されている。上側第１扉１０７ａには指掛け部１０７ａ１が形成され、下側第１扉１０７ｂには指掛け部１０７ｂ１がそれぞれ形成されている。なお、図１２は、側壁２ｃ側に「１０００ｍｌ」用の紙パック１４を収納でき、その他は「５００ｍｌ」用の紙パック１４を収納できるよう調整されている。
【０１２２】
よって、第２実施例のクーラーボックス１では、各扉が「１０００ｍｌ」及び「５００ｍｌ」用の紙パック１４を収納可能に構成されているため、収納される紙パック１４の数や大きさに容易に対応することができる。また、第１実施例と同様に、第１扉１０７及び第２扉１０８を側壁２ｄに収納できると共に各扉が固定溝５２と固定部材５５とによって揺動して開いた状態で固定できるので、筐体２の収納部を有効に利用することができる効果および紙パック１４の傾きや倒れを防止することができる効果を奏する。
【０１２３】
次に、図１３〜図１８を参照して、第３実施例について説明する。図１３は、第３実施例のクーラーボックス１の外観の概略を示した斜視図であり、図１４は、図１３に示したＶ−Ｖ断面線における側壁２ｄの垂直方向の断面を拡大して示した拡大断面図であり、図１５は、図１３に示したＶＩ−ＶＩ断面線における側壁２ｄの垂直方向の断面を拡大して示した拡大断面図であり、図１６は、支持溝２７８及び連通溝２７９を拡大して示した拡大斜視図であり、図１７は、側壁２ｄに収納された各扉が開いた状態を示した部分斜視図である。また、図１８（ａ）は、図７の矢印ｈで示した部分を拡大した拡大図であり、図１８（ｂ）は、図１８（ａ）の断面線ＶＩＩ−ＶＩＩにおける断面図である。なお、第１実施例と同一の部分には同一の符号を付して、その説明は省略する。
【０１２４】
図１３に示すように、第３実施例のクーラーボックス１は、第１実施例のクーラーボックス１に比べて筐体２の収納部の深さが深く構成されている。よって、扉収納部１５に収納された各扉の下方に、食料品などを収納可能な領域が存在する。
【０１２５】
側壁２ｄの扉収納部１５には、第１実施例と同様に、板状に形成された扉が複数並んで収納されており、側壁２ｃ側に、上側第１扉２０７ａと下側第１扉２０７ｂとの上下に分割された第１扉２０７と第２扉２０８とが連結して収納され、その第１扉２０７及び第２扉２０８の側壁２ｂ側には、第１扉２０９と第２扉２１０とが連結して収納され、さらに側壁２ｄ側に、第１扉２０９と第２扉２１０とが連結して収納されている。また、上側第１扉２０７ａの表面（筐体２の内側となる面）には指掛け部２０７ａ１が形成され、下側第１扉７２０ｂの表面には指掛け部２０７ｂ１が形成され、第１扉２０９の表面には指掛け部２０９ａ１が形成されている。
【０１２６】
ここで、図１４を参照して、図１３に示したＶ−Ｖ断面線における側壁２ｄの垂直方向の断面について説明する。図示するよに、扉収納部１５の下端部には、筐体２の内側方向（紙面左側方向）に底壁２ａ（図１３参照）に対して略水平に突起する側壁突起部材２７０が連設され、第２扉２１０の外枠２１０ａの下端部（第２扉２１０の下端部）には、筐体２の内側方向に底壁２ａに対して略水平に突起する扉突起部材２７２が連設されている。よって、第１扉２０９と第２扉２１０とが揺動して開いて収納領域Ｙ（図１７参照）を形成した場合には、その収納領域Ｙの内側方向へ側壁突起部材２７０と扉突起部材２７２とが互いに向き合って突起する。従って、収納領域Ｙに紙パック１４を収納した場合には、紙パック１４の底面と側壁突起部材２７０及び扉突起部材２７２とが当接し、紙パック１４を支持して収納することができる。
【０１２７】
さらに第２扉２１０の外枠２１０ａの下端部には、第１扉２０９と第２扉２１０とが扉収納部１５に収納された状態で、側壁突起部材２７０を収納可能な第２切欠部２７１が形成されている。この第２切欠部２７１は、中空状に形成される外枠２１０ａの側壁２ｄと対向する面が切り欠かれて開口しており、その開口から外枠２１０ａの対向する側面に亘って、側壁突起部材２７０を収納可能な領域が形成されている。即ち、第２切欠部２７１は、第２扉２１０の厚み方向となる長さが、その第２扉２１０の厚みに対して略同等となるよう形成されている。また、図示するように、側壁突起部材２７０は、第２切欠部２７１と略同等となる大きさで形成され、第２扉２１０の厚みに対して略最大となる大きさで形成されている。
【０１２８】
第１扉２０９の下端部には、第１扉２０９と第２扉２１０とが扉収納部１５に収納された状態で、扉突起部材２７２を収納可能な第１切欠部２７３が、第１扉２０９の表裏を貫通して形成されている。即ち、第１切欠部２７３は、第１扉２０９の厚み方向となる長さが、第１扉２０９と略同等となるよう形成されている。また、図示するように、扉突起部材２７２は、第１切欠部２７３と略同等となる大きさで形成され、第１扉２０９の厚みに対して略最大となる大きさで形成されている。
【０１２９】
よって、第１扉２０９と第２扉２１０とが扉収納部１５に収納された状態で、側壁突起部材２７０及び扉突起部材２７２が、第１切欠部２７３及び第２切欠部２７１によって確実に収納できるので、側壁突起部材２７０及び扉突起部材２７２を収納するための領域を扉収納部１５内に形成する必要がなく、第１実施例に示した扉収納部１５と略同等の大きさに形成することができる。従って、側壁突起部材２７０及び扉突起部材２７２を備える構造であっても、扉収納部１５を大きく形成する必要がなく、側壁２ｄが厚くなることを防止できるので、筐体２の収納部が狭くなり収納領域を有効に利用できなかったり、クーラーボックス１自体が大規模化するなどの弊害を防止できる。
【０１３０】
さらに、側壁突起部材２７０及び扉突起部材２７２は、第１扉２０９及び第２扉２１０の厚みに対して略最大となる大きさで形成されているので、収納領域Ｙに紙パック１４を収納する場合に、側壁突起部材２７０と扉突起部材２７２とによって、紙パック１４の底面を確実に支持して収納することができ、紙パック１４が底壁２ａ方向に落下することを防止できる。
【０１３１】
次に、図１５および図１６を参照して、図１３に示したＶＩ−ＶＩ断面線における側壁２ｄの垂直方向の断面について説明する。図示するよに、扉収納部１５の下端部となる側壁２ｄには、底壁２ａ（図１３参照）に対して略垂直方向に移動可能な側壁突起部材２７５の移動範囲を形成する移動範囲形成部２７６が凹設されている。移動範囲形成部２７６の対向する両側面（紙面奥側となる側面のみ図示する）には、側壁突起部材２７５の両側端部からそれぞれ突起すると共に断面視略四角形の支持部材２７７が嵌挿される支持溝２７８が上下２箇所に形成され、その２つの支持溝２７８は、連通溝２７９によってそれぞれ連通されている。なお、図１５においては、紙面下側の支持溝２７８に支持部材２７７が嵌挿された状態を示しており、この状態が「１０００ｍｌ」用の紙パック１４に対応している。また、紙面上側の支持溝２７８に支持部材２７７が嵌挿された場合は、「５００ｍｌ」用の紙パック１４に対応した位置となる。
【０１３２】
支持溝２７８は、支持部材２７７の外形と略同等の内形となる断面視略四角形に形成されているので、支持部材２７７が支持溝２７８に嵌挿された状態で、側壁突起部材２７５が底壁２ａ方向に揺動することが禁止される。
【０１３３】
連通溝２７９は、移動範囲形成部２７６の第２扉２０８側（紙面左側）に底壁２ａに対して略垂直方向に上下に亘って形成される垂直溝２７９ａと、その垂直溝２７９ａの上下両側から筐体２の外側方向（紙面右側方向）に底壁２ａに対して略水平に延びる水平溝２７９ｂとで構成されており、その水平溝２７９ｂと支持溝２７８とがそれぞれ連通している。
【０１３４】
なお、連通溝２７９は、支持部材２７７の外形より大きく形成されており、支持部材２７７の連通溝２７９を介しての移動をスムーズに行うことができる。また、連通溝２７９を介して上下の支持溝２７８を移動することができるので、側壁突起部材２７５を移動させる度に、支持溝２７８から支持部材２７７を取り外し、再度支持部材２７７を支持溝２７８に嵌挿させるなどの煩雑な作業が必要なく、作業手順を少なくすることができる。
【０１３５】
本第３実施例の移動範囲形成部２７６には、支持溝２７８の下端面に隣接して補助板２８０が配設されている。この補助板２８０は、側壁突起部材２７５の下面と当接し、紙パック１４が収納され側壁突起部材２７５に荷重がかかった場合に、その側壁突起部材２７５の底壁２ａ方向への揺動を禁止することを補助するための板状の部材である。この補助板２８０は、支持溝２７８に対応して上下２箇所に設けられている。なお、図１６に示したように、補助板２８０をブロック片で構成するものとしたが、側壁突起部材２７５の揺動の禁止を確実に補助するために、補助板２８０を移動範囲形成部２７６の対向する側面間に亘って形成するものとしても良い。一方、支持溝２７８と支持部材２７７とによって、側壁突起部材２７５の底壁２ａ方向への揺動を禁止できるものであれば、補助板２８０を配設しないものとしても良い。
【０１３６】
図１５に戻って説明する。第２扉２０８の下端部には、第２扉２１０の下端部と同様に、側壁突起部材２７５を収納可能な第２切欠部２８１と、筐体２の内側方向に突起した扉突起部材２８２とが形成されている。また、下側の第１扉２０７ｂの下端部には、第１扉２０９の下端部と同様に、扉突起部材２８２を収納可能な第１切欠部２８３が形成されている。
【０１３７】
上側の第１扉２０７ａには、下側の第１扉２０７ｂの第１切欠部２８３と同形状に形成される第３切欠部２８４が形成されている。この第３切欠部２８４は、第２扉２０８が上側の第１扉２０７ａと略同等の大きさとなるよう縮められた場合の扉突起部材２８２の位置に対応する位置に形成されている。
【０１３８】
よって、第３切欠部２８４を形成することによって、「５００ｍｌ」用の紙パック１４に対応する位置に、第２扉２０８と側壁突起部材２７５とが調整された状態のまま、第１扉２０７と第２扉２０８を扉収納部１５に収納することができ、「５００ｍｌ」用の紙パック１４を収納する度に、第２扉２０８と側壁突起部材２７５との調整をする必要がない。さらに、「５００ｍｌ」用の紙パック１４に調整された状態で扉収納部１５に第１扉２０７と第２扉２０８とを収納できるので、下側の第１扉２０７ｂを揺動することなく収納領域Ｘ（図１７参照）を形成することができる。従って、「５００ｍｌ」用の紙パック１４を収納するための収納領域Ｘを形成する作業手順を少なくすることができる。なお、第１及び第２実施例と同様に、下側の第１扉２０７ｂを扉収納部１５に収納した状態では、筐体２の収納部をさらに広くでき、収納領域を有効に利用することができる。
【０１３９】
次に、図１７及び図１８を参照して、第１扉２０７，２０９と第２扉２０８，２１０が揺動して開かれた状態について説明する。なお、第２扉２０８と側壁突起部材２７５は、「５００ｍｌ」用の紙パック１４に対応して調整されており、下側の第１扉２０７ｂが扉収納部１５に収納された状態を示している。
【０１４０】
図１７に示すように、第１扉２０７，２０９と第２扉２０８，２１０とを揺動して開いた状態では、第１扉２０７，２０９の側壁２ｃ側となる端面と、第２扉２０８，２１０の側壁２ｂ側となる端面とが当接している。即ち、第１及び第２実施例の各扉と異なり、各扉が揺動した状態で、第２扉２０８，２１０は、第１扉２０７，２０９に対して略直角となる位置までしか開かないよう構成される。
【０１４１】
さらに、第１扉２０７，２０９と第２扉２０８，２１０とを揺動して開いた状態では、第２扉２１０の側壁２ｃ側となる端面が、側壁２ｃ側に隣接する第１扉２０９又は第１扉２０７の側壁２ｂ側となる端面と当接し、第２扉２０８の側壁２ｃ側となる端面は、側壁２ｃと当接している。なお、第１扉２０７，２０９又は側壁２ｃと第２扉２０８，２１０との当接面（固着部）は、互いが強固に固着されている。この当接面について図１８を参照して以下に説明する。
【０１４２】
図１８（ａ）に示すように、第１扉２０９と第２扉２１０との当接面は、第１扉２０９の指掛け部（嵌合溝）２０９ａ１と、第２扉２１０の側壁２ｃ方向に凸状に突起した嵌合部２８５とで構成されている。図１８（ｂ）の断面図に示すように、嵌合部２８５は、第２扉２１０の筐体２の内側（図１８（ｂ）においては紙面下側）となる端面から第１扉２０９方向に平面状に延びており、その延びた先端から側壁２ｄ方向（紙面上方向）に湾曲して滑らかな曲面で形成されている。なお、側壁２ｃには、第２扉２０８に形成される嵌合部２８５に対応して、指掛け部２０９ａ１と略同等の大きさとなる嵌合溝（図示せず）が形成されている。
【０１４３】
よって、第１扉２０７，２０９と第２扉２０８，２１０とが揺動して開かれると、嵌合部２８５が指掛け部２０７ａ１，２０９ａ１に嵌り込み固着されるので、筐体２の収納部に収納される食料品などによって、第２扉２０８，２１０が押されて側壁２ｄ方向へ移動してしまうことを確実に防止できる。また、嵌合部２８５は、側壁２ｄ方向に湾曲して滑らかな曲面で形成されているので、指掛け部２０９ａ１への嵌合部２８５の着脱動作をスムーズに行うことができる。なお、嵌合部２８５が嵌合される嵌合溝は、指掛け部２０９ａ１を利用するので、新たに嵌合溝を形成する必要がなく、製作コストを低減することもできる。
【０１４４】
以上、説明したように、第３実施例のクーラーボックス１は、側壁突起部材２７０，２７５と扉突起部材２７２，２８２とによって、収納領域Ｘ，Ｙ内に収納される紙パック１４の底面を支持して収納できるので、各扉の下方となる空間を食料品などを収納する領域として使用することができ、筐体２内部の収納領域を有効に利用することができる。
【０１４５】
また、側壁突起部材２７０，２７５と扉突起部材２７２，２８２とを各扉の厚みに対して略最大となる大きさで形成しているので、紙パック１４の底壁を確実に支持することができ、紙パック１４が底壁２ａ方向に落下することを防止できる。
【０１４６】
なお、第３実施例のクーラーボックス１を第２実施例のクーラーボックス１のように、全ての扉を「５００ｍｌ」及び「１０００ｍｌ」の紙パック１４に対応する構造にするものとしても勿論構わない。
【０１４７】
次に、図１９を参照して、第２扉２０８，２１０と第１扉２０７，２０９又は側壁２ｃとを互いに固着するためのその他の構造について説明する。図１９は、第１扉２０９と第２扉２１０との当接面（固着部）を拡大して示した斜視図である。
【０１４８】
図１９（ａ）に示す当接面は、第１扉２０９に連設され略キノコ形状の止め具２９０ａと、第２扉２１０に連設され略キノコ形状の止め具２９０ｂと、その止め具２９０ａ，２９０ｂ間にかけられるクリップ部材２９１とで構成されている。止め具２９０ａ，２９０ｂにクリップ部材２９１の両端をかけることによって、第１扉２０９と第２扉２１０とが固着される。なお、クリップ部材２９１の両端のうち一端が、止め具２９０ａ，２９０ｂのどちらか一方に回転可能に連結される構成とするものとしても良い。
【０１４９】
図１９（ｂ）に示す当接面は、第１扉２０９に貫通形成される貫通孔２９２ａと、第２扉２１０に貫通形成される貫通孔２９２ｂと、その両者の貫通孔２９２ａ，２９２ｂに貫挿される略Ｕ字状の貫挿部材２９３とで構成されている。貫挿部材２９３は、略Ｕ字状の両先端部が内側方向に傾いて形成されているので、貫挿部材２９３が両貫通孔２９２ａ，２９２ｂに貫挿された状態で、簡単に抜け落ちることを防止できる。
【０１５０】
図１９（ｃ）に示す当接面は、第１扉２０９の第２扉２１０側となる端面に形成される開口２９４と、第２扉２１０に配設され第１扉２０９方向に揺動する揺動部材２９５とで構成されている。揺動部材２９５は、第２扉２１０の外枠２１０ａ内に配設されており、前面に回転用の取手２９５ａと、その取手２９５ａに軸着する回転軸２９５ｂと、その回転軸２９５ｂに連結される掛止部２９５ｃとを備えて構成されている。取手２９５ａを左回転させることによって、掛止部２９５ｃが第１扉２０９方向に回転し開口２９４に先端が掛止することで、第１扉２０９と第２扉２１０とが固着される。
【０１５１】
また、図２０を参照して、第２扉２０８及び側壁突起部材２７５を、底壁２ａに対して略垂直方向へ多段階に調整可能とする構造について説明する。図２０（ａ）は、移動範囲形成部２７６の支持溝２７８と連通溝２８９とを示した斜視図であり、図２０（ｂ）は、第２扉２０８の外枠２０８ａの断面を示した断面図である。
【０１５２】
図２０（ａ）に示すように、移動範囲形成部２７６の対向する両側壁（一方の側壁のみ図示する）には、筐体２の底壁２ａに対して略垂直方向に支持溝２７８が複数形成され、その複数の支持溝２７８は、それぞれ水平溝２７９ｂと垂直溝２７９ａとを有する連通溝２７９によって連通されている。よって、支持部材２７７が連通溝２７９を介して移動し、いずれかの支持溝２７８に嵌挿されてることで、収納領域Ｘの深さを調整できる。なお、図２０（ａ）では、支持溝２７８の数が８個の場合を示しているが、その数は、収納する紙パック１４の大きさや筐体２の深さに応じて、変更するものとしても良い。さらに、補助板２８０をそれぞれの支持溝２７８に対応して配設するものとしても良い。
【０１５３】
図２０（ｂ）に示すように、第２扉２０８の下側となる外枠２０８ａ２には、突起部２６が嵌る複数の貫通孔２９６が、底壁２ａの略垂直方向に複数形成されている。外枠２０８ａ２を伸縮させると、いずれかの貫通孔２９６に突起部２６が嵌り込み、収納領域Ｘの深さを調整できる。なお、貫通孔２９６は、上述した複数の支持溝２７８に対応するよう形成されており、８箇形成されている。
【０１５４】
よって、移動範囲形成部２７６の対向する両側壁に複数の支持溝２７８を形成すると共に、第２扉２０８の下側となる外枠２０８ａ２に複数の貫通孔２９６を形成することによって、筐体２の開口から扉突起部材２８２と側壁突起部材２７５までの距離を、紙パック１４の大きさ（高さ）に応じて多段階に調整することができる。従って、紙パック１４の上端部と筐体２の開口との高さの差が少なくなるので、紙パック１４などの取り出しが困難となることを防止できる。
【０１５５】
さらに、図２１を参照して、扉突起部材２７２，２８２及び側壁突起部材２７０，２７５のその他の構造について説明する。なお、第２扉２１０の下端部に取り付けられる扉突起部材２７２の構造について説明し、その他の扉突起部材２８２及び側壁突起部材２７０，２７５の取り付け構造については、その説明を省略する。図２１は、第２扉２１０の下端部に取り付けられた扉突起部材２７２部分の断面を拡大して示した拡大断面図である。
【０１５６】
第２扉２１０の下端部に扉突起部材２７２を取り付けるための構造は、第２扉２１０に形成される凹状の溝部３００と、板状の扉板部材３０１と、その扉板部材３０１を揺動可能に溝部３００に連結する揺動連結部３０２と、その扉板部材３０１と溝部３００の内壁面との間を連結すると共に扉板部材３０１を第２扉２０８方向へ付勢する弾性力を有する弾性部材３０３とを有して構成されている。扉板部材３０１は、溝部３００の紙面上側となる開口部に当接し、扉板部材３０１の先端が収納領域Ｘの内側方向に上方傾斜している（図２１（ａ）の状態）。また、揺動連結部材３０２は、扉板部材３０１が上方傾斜した位置から底壁２ａに対して略水平となる位置の間を揺動可能に構成されている。なお、扉収納部１５の下端部に連設される側壁突起部材２７０，２７５においては、扉板部材３０１に対応して側壁板部材（図示せず）が配設され、扉弾性部材３０３に対応して側壁弾性部材（図示せず）が配設されている。
【０１５７】
第１扉２０９と第２扉２１０とが揺動して形成される収納領域Ｙ（図１７参照）内に、紙パック１４を収納すると、紙パック１４の底面が扉板部材３０１と側壁板部材との先端に当接して、筐体２の底壁２ａ方向へ押され、扉板部材３０１と側壁板部材とが収納領域Ｙの内側方向に傾く（図２１（ｂ）の状態）。さらに、紙パック１４が底壁２ａ方向に押されると、扉板部材３０１と側壁板部材とが底壁２ａと略平行となる位置まで揺動して停止する（図２１（ｃ）の状態）。
【０１５８】
また、紙パック１４を取り出す場合には、扉弾性部材３０３の弾性力によって、扉板部材３０１及び側壁板部材の先端が上方傾斜する位置（図２１（ａ）の状態）に復帰する。なお、紙パック１４に充填されている液体の量が少ない場合は、扉弾性部材３０３の弾性力の方が大きくなることも考えられるが、かかる場合であってもキャップ部材１１を紙パック１４の上端部に挟持させ、そのキャップ部材１１を挿入部２３とキャップ収納部１２との間で固定するので、紙パック１４が持ち上がることを防止できる。
【０１５９】
さらに、各扉を扉収納部１５に収納した状態で、上方傾斜した扉板部材３０１及び側壁板部材を収納可能な切欠部を各扉に形成することによって、扉収納部１５を大きく形成する必要がなく、側壁２ｄが厚くなることを防止できる。よって、筐体２の収納部が狭くなり収納領域を有効に利用できなかったり、クーラーボックス１自体が大規模化するなどの弊害を防止できる。
【０１６０】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【０１６１】
例えば、上記各実施例では、キャップ部材１１を紙パック１４の上端部４２ａ，４２ｂに狭着して、収納領域Ｘ，Ｙにその紙パック１４を収納するものとしたが、キャップ部材１１を紙パック１４に狭着せずにその紙パック１４を収納領域Ｘ，Ｙに収納するものとしても良い。かかる場合、各扉はそれぞれ固定されているので、キャップ部材１１を用いなくても紙パック１４の傾きや倒れを防止することができる。なお、キャップ部材１１を用いない場合には、紙パック１４だけでなく内部に液体が充填されたペットボトルなど各種の形状の容器を収納することも可能である。さらに、キャップ部材１１、キャップ収納部１２、第２扉８，１０の挿入部２３を備えない構成のクーラーボックスとすることも勿論構わない。
【０１６２】
また、上記第１及び第３実施例では、上下に分割された第１扉７，２０７と伸縮可能に構成された第２扉８，２０８とを１組備えると共に第１扉９，２０９と第２扉１０，２１０とを２組備え、上記第２実施例では、上下に分割された第１扉１０７と伸縮可能に構成された第２扉１０８とを３組備えてるものとしたが、その各扉の組合わせの数は特に限定されない。さらに、第１及び第２実施例では、仕切部材２５を備えて紙パック１４の大きさ（高さ）に応じて収納領域Ｘの深さを調整し、第３実施例では、扉突起部材２８２と側壁突起部材２８５とを備えて紙パック１４の大きさ（高さ）に応じて収納領域Ｘの深さを調整するものとしたが、その構造の組み合わせも特に限定されない。即ち、クーラーボックス１の大きさや用途に応じて各扉や構造を組み合わせて設定することができる。
【０１６３】
また、上記各実施例では、第１扉７，９と側壁２ｄとを棒状の連結部材２０で連結すると共に、第２扉８，１０と第１扉７，９とを蝶番の連結部材２２で連結するものとしたが、第１扉，９と側壁２ｄとの連結を蝶番で連結して揺動可能に構成するものとしても良いし、第２扉８，１０と第１扉７，９との連結をヒンジピンで連結して揺動可能に構成するものとしても良い。即ち、各扉が揺動可能に構成される連結部材であれば、その構造はどのようなものとしても良い。
【０１６４】
また、上記各実施例では、突起部材２６と貫通孔２７，２８によって第２扉８の大きさを変更可能に構成するものとしたが、例えば、上側外枠８ａ１にも貫通孔を設けてその貫通孔と下側外枠８ａ２の貫通孔２７又は貫通孔２８とをピン部材で貫通して固定する構成としても良い。さらに、下側外枠８ａ２に弾性力によって外側に押圧された突起を設けると共に上側外枠８ａ１の上下２箇所に貫通孔を設け、下側外枠８ａ２の突起が上側外枠８ａ１の貫通孔に嵌り込んで固定する構成とするものとしても良い。かかる場合、下側外枠８ａ２の突起を内側方向に押して上側外枠８ａ１の貫通孔から突起を外すことで下側外枠８ａ２を伸縮させることができる。
【０１６５】
また、上記各実施例では、固定溝５２、固定部材５５、嵌合部２８５と各嵌合溝（指掛け部）からなる固着部とによって各扉を固定するものとしたが、各扉に磁性部材を備えその対向する位置となる底壁２ａ及び側壁２ｄに極性の異なる磁性部材を備えて、互いの磁力による引力によって固定するものとしても良い。また、各扉を側壁２ｄに収納した位置と揺動して開いた状態の位置とに固定できる構成であれば、固定溝５２、固定部材５５、固着部、デットポイントを有する蝶番、磁性部材および上述した突起部５９と嵌合部６０との構造などの組合せは、どのような組合せで構成するものとしても良い。
【０１６６】
また、上記第１及び第２実施例は、第１扉７，１０７を上下に分割し、第２扉８，１０８を伸縮可能な構成として、２種類の大きさ（高さ）の異なる紙パック１４を収納可能としたが、第１扉と第２扉とがそれぞれ上下に分割され、上側の第１扉と上側の第２扉および下側の第１扉と下側の第２扉とがそれぞれ連結される構成としても良い。かかる場合には、仕切部材２５が底壁２ａと略平行となるよう揺動した状態で、下側の第１扉と第２扉とが側壁２ｄに収納されるものとする。
【０１６７】
また、上記第１及び第２実施例では、仕切部材２５は側壁２ｄ内に形成される溝に両端部が支持された棒部材３１によって揺動可能に構成されるものとしたが、その棒部材３１の両端部を支持する溝を、棒部材３１の外径と略同等となる内径で形成されその棒部材３１を支持する支持部と、棒部材３１の外径より小さな内径で形成されその棒部材３１が移動可能な移動部とが筐体２の底壁２ａに対して略垂直方向に連続して形成される構成とするものとしても良い。かかる場合では、棒部材３１を筐体２の底壁２ａに対して略垂直方向に移動して支持することができるので、仕切部材２５は、筐体の底壁の略垂直方向に移動し任意の位置に固定できる。よって、収納される紙パック１４の大きさ（高さ）に対応してその固定位置を調整できるので、紙パック１４の上端部と筐体２の開口との距離を短くでき、紙パック１４の取り出しを容易に行うことができる。
【０１６８】
また、上記第１又は第２実施例では、仕切部材２５を板状に形成するものとしたが、外枠の内側に網目状の部材を設ける構造としたり、外枠の内側に棒体やパイプ等を縦方向および横方向に設けた格子状となる構造としたり、外枠の内側に棒体やパイプ等を縦方向のみ又は横方向のみに設けた構造としたり、容器の底面より小さな外形となる外枠のみの構造とするものとしても良い。かかる場合には、収納された容器に対しての冷暖作用を効率良く行うことができる。
【０１６９】
また、上記第１又は第２実施例では、第１扉７，９及び第２扉８，１０（収納する容器）の高さと、筐体２の収納部の深さとが略同等に形成されたクーラーボックス１としたが、各扉の高さより筐体２の深さの方が長いクーラーボックスとしても良い。かかるクーラーボックスでは、各扉の上端部が筐体２の開口と略同位置となる位置に配設した場合であっても、仕切部材２５によって収納領域Ｘ，Ｙの筐体２の開口側と底壁２ａ側とを仕切ることができるので、その各扉の下方の領域にその他の品物や容器などを収納することができる。この場合、仕切部材２５は、底壁２ａの略垂直方向に移動可能に構成した方が好ましい。さらに、キャップ部材１１によって紙パック１４の上端部を挟持して挿入部２３とキャップ収納部１２との間で固定できるので、仕切部材２５を備えないものとしても良い。即ち、紙パック１４の底面を支持ぜず、宙づり状態で収納するものとしても良い。
【０１７０】
また、上記第３実施例では、第１切欠部を第１扉の厚み方向における長さを、第１扉と略同等となる長さに形成すると共に、第２切欠部の第２扉の厚み方向における長さを、第２扉と略同等となる長さに形成するものとし、扉突起部材および側壁突起部材をその第１切欠部および第２切欠部と略同等となる略最大の大きさで形成するものとしたが、扉突起部材および側壁突起部材によって紙パック１４の底面を支持できるものであれば、扉突起部材および側壁突起部材の長さを短く形成するものとしても良く、その長さに応じて第１切欠部および第２切欠部の大きさも小さく形成するものとしても良い。なお、扉突起部材および側壁突起部材の長さを短く形成する場合は、少なくとも各扉の厚みに対して半分以上となる長さが好ましい。これは、扉突起部材および側壁突起部材の長さが、各扉の厚みに対して半分以下となると、紙パック１４の底面を支持できずに、その紙パック１４が底壁２ａ方向に落下してしまう可能性があるからである。
【図面の簡単な説明】
【０１７１】
【図１】本発明の第１実施例におけるクーラーボックスの外観の概略を示した斜視図である。
【図２】図１に示したＩＩＩ−ＩＩＩ断面線における側壁の垂直方向の断面を拡大して示した拡大断面図である。
【図３】第１扉および第２扉を開く手順を示して説明図である。
【図４】図１に示したＩＶ−ＩＶ断面線における側壁の垂直方向の断面を拡大して示した拡大断面図である。
【図５】第２扉の外観と部分的な断面を示した図である。
【図６】第１扉及び第２扉を開く手順と仕切部材を揺動する手順を示した説明図である。
【図７】側壁に収納された各扉が開いた状態を示した部分斜視図である。
【図８】キャップ部材を拡大して示した斜視図である。
【図９】キャップ部材が紙パックの上端部を狭着する手順を示した説明図である。
【図１０】キャップ部材が狭着された紙パック１４が収納領域に収納された状態を示した説明図である。
【図１１】第１扉及び第２扉をそれぞれ固定するための固定部材を示した説明図である。
【図１２】第２実施例のクーラーボックスの側壁に収納された各扉が開いた状態を示した部分斜視図である。
【図１３】第３実施例のクーラーボックスの外観の概略を示した斜視図である。
【図１４】図１３に示したＶ−Ｖ断面線における側壁の垂直方向の断面を拡大して示した拡大断面図である。
【図１５】図１３に示したＶＩ−ＶＩ断面線における側壁の垂直方向の断面を拡大して示した拡大断面図である。
【図１６】支持溝及び連通溝を拡大して示した拡大斜視図である。
【図１７】側壁に収納された各扉が開いた状態を示した部分斜視図である。
【図１８】図１８（ａ）は、図７の矢印ｈで示した部分を拡大した拡大図であり、図１８（ｂ）は、図１８（ａ）の断面線ＶＩＩ−ＶＩＩにおける断面図である。
【図１９】第１扉と第２扉との当接面を拡大して示した斜視図である。
【図２０】図２０（ａ）は、移動範囲形成部２７６の支持溝２７８と連通溝２８９とを示した斜視図であり、図２０（ｂ）は、第２扉２０８の外枠２０８ａの断面を示した断面図である。
【図２１】第２扉の下端部に取り付けられた扉突起部材の断面を拡大して示した拡大断面図である。
【符号の説明】
【０１７２】
１                            クーラーボックス
２                            筐体
２ａ                          底壁
２ｃ                          側壁（第２の側壁）
２ｄ                          側壁（第１の側壁）
３                            蓋
７，１０７，２０７            第１扉
７ａ，１０７ａ，２０７ａ      上側第１扉
７ｂ，１０７ｂ，２０７ｂ      下側第１扉
８                            第２扉
９                            第１扉
１０                          第２扉
１１                          キャップ部材
１１ａ１，１１ｃ１            凹部
１２                          キャップ収納部（挿入部）
１４                          紙パック（容器）
１５                          扉収納部
２０                          連結部材（第１固定部材の一部）
２２                          連結部材（第２固定部材）
２３                          挿入部
２４                          凸部
２５                          仕切部材
３１                          棒部材
５２                          固定溝（第１固定部材の一部）
５５                          固定部材（第１固定部材、第２固定部材）
２０７ａ１，２０９ａ１        指掛け部（嵌合溝）
２７０，２７５                側壁突起部材
２７１，２８１                第２切欠部
２７２，２８２                扉突起部材
２７３，２８３                第１切欠部
２７７                        支持部材
２７８                        支持溝
２７９                        連通溝
２８４                        第３切欠部
２８５                        嵌合部
Ｘ，Ｙ                        収納領域（容器を収納可能な領域）
【図１】
2005330005.tif 000003
【図２】
2005330005.tif 000004
【図３】
2005330005.tif 000005
【図４】
2005330005.tif 000006
【図５】
2005330005.tif 000007
【図６】
2005330005.tif 000008
【図７】
2005330005.tif 000009
【図８】
2005330005.tif 000010
【図９】
2005330005.tif 000011
【図１０】
2005330005.tif 000012
【図１１】
2005330005.tif 000013
【図１２】
2005330005.tif 000014
【図１３】
2005330005.tif 000015
【図１４】
2005330005.tif 000016
【図１５】
2005330005.tif 000017
【図１６】
2005330005.tif 000018
【図１７】
2005330005.tif 000019
【図１８】
2005330005.tif 000020
【図１９】
2005330005.tif 000021
【図２０】
2005330005.tif 000022
【図２１】
2005330005.tif 000023